(57)【要約】  ワイヤレス通信のための技法が説明される。基地局におけるワイヤレス通信のための方法は、複数のサブフレーム中で狭帯域通信のために時間リソースおよび周波数リソースを識別することと、複数のユーザ機器（ＵＥ）デバイスを識別することと、アップリンク（ＵＬ）制御情報を搬送するために、時間リソースおよび周波数リソースのうちの第１の部分をＵＬチャネルに割り振ることと、ＵＬチャネルのリソースを、識別された複数のＵＥデバイスに割り振ることとを含む。ＵＥデバイスにおけるワイヤレス通信のための方法は、複数のサブフレーム中で狭帯域通信のために時間リソースおよび周波数リソースを識別することと、ＵＥデバイスのためのＵＬ制御情報を搬送するために、ＵＬチャネルに割り振られた時間リソースおよび周波数リソースのうちの少なくとも第１の部分の指示を受信することと、ＵＬチャネル上で、ダウンリンク肯定応答（ＡＣＫ）とダウンリンク否定応答（ＮＡＫ）の一方または両方を送信することとを含む。
2018530216.tif 000002
【特許請求の範囲】
【請求項１】
基地局におけるワイヤレス通信のための方法であって、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることと
を備える、方法。
【請求項２】
前記ＵＬチャネル上で、前記複数のＵＥデバイスのうちの１つまたは複数から、ダウンリンク肯定応答（ＡＣＫ）とダウンリンク否定応答（ＮＡＫ）の一方または両方を受信すること
をさらに備える、請求項１に記載の方法。
【請求項３】
前記ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せと多重化すること
をさらに備える、請求項１に記載の方法。
【請求項４】
前記ＵＬチャネルが専用物理アップリンク制御チャネル（ＰＵＣＣＨ）を備える、請求項１に記載の方法。
【請求項５】
前記ＵＬチャネルの同数のリソースを基準シンボル送信およびデータシンボル送信に割り振ること
をさらに備える、請求項１に記載の方法。
【請求項６】
前記ＵＬチャネルのリソースを前記複数のＵＥデバイスに割り振ることが、
時間領域におけるクロススロット符号分割多重化（ＣＤＭ）、周波数領域におけるＣＤＭ、周波数領域多重化（ＦＤＭ）、またはそれらの組合せを使用して、前記ＵＬチャネルのリソースを前記複数のＵＥデバイスに割り振ること
を備える、請求項１に記載の方法。
【請求項７】
前記ＵＬチャネル上で、前記複数のＵＥデバイスからマルチプルトーン送信を受信すること
をさらに備える、請求項１に記載の方法。
【請求項８】
前記ＵＬチャネル上で、並列に、前記複数のＵＥデバイスからシングルトーン送信を受信すること
をさらに備える、請求項１に記載の方法。
【請求項９】
前記ＵＬチャネル上で並列に、前記複数のＵＥデバイスのうちのＵＥデバイスから、複数のシングルトーン送信を受信すること
をさらに備える、請求項１に記載の方法。
【請求項１０】
前記時間リソースおよび前記周波数リソースのうちの少なくとも前記第１の部分を前記ＵＬチャネルに割り振ることが、
前記複数のサブフレーム中の第１のスロットおよび第２のスロットについて、周波数リソースの同じセットを前記ＵＬチャネルに割り振ること
を備える、請求項１に記載の方法。
【請求項１１】
前記時間リソースおよび前記周波数リソースのうちの少なくとも前記第１の部分を前記ＵＬチャネルに割り振ることが、
前記複数のサブフレーム中のあるサブフレームから別のサブフレームにかけて、周波数リソースの同じセットまたは周波数リソースの異なるセットを前記ＵＬチャネルに割り振ること
を備える、請求項１に記載の方法。
【請求項１２】
前記ＵＬチャネルのリソースを前記複数のＵＥデバイスに割り振ることが、
イントラリソースブロック周波数ホッピングを使用して、前記ＵＬチャネルのリソースを前記複数のＵＥデバイスに割り振ること
を備える、請求項１に記載の方法。
【請求項１３】
前記複数のＵＥデバイスに割り振られた前記ＵＬチャネルの前記時間リソースおよび前記周波数リソースが、バンドルされた送信時間間隔（ＴＴＩ）を備える、請求項１に記載の方法。
【請求項１４】
サウンディング基準信号（ＳＲＳ）の測定、前記狭帯域通信のアップリンクのためのチャネル品質情報（ＣＱＩ）、物理アップリンク共有チャネル（ＰＵＳＣＨ）上で受信されたＣＱＩ、またはそれらの組合せに少なくとも部分的に基づいて、前記狭帯域通信の少なくとも１つのダウンリンクのためのチャネル状態情報（ＣＳＩ）を概算すること
をさらに備える、請求項１に記載の方法。
【請求項１５】
前記ＵＬチャネルのリソースを前記複数のＵＥデバイスに割り振ることが、
前記ＵＥデバイスに関連するカバレージ向上（ＣＥ）レベルに少なくとも部分的に基づいて、前記ＵＬチャネルのリソースを前記複数のＵＥデバイスのうちのＵＥデバイスに割り振ること
を備える、請求項１に記載の方法。
【請求項１６】
前記複数のサブフレームの各サブフレームの各シンボル期間中に、サウンディング基準信号（ＳＲＳ）を送信すること
をさらに備える、請求項１に記載の方法。
【請求項１７】
基地局におけるワイヤレス通信のための装置であって、
プロセッサと、
前記プロセッサと電子通信しているメモリと、
前記メモリに記憶された命令と
を備え、前記命令が、前記装置に、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることと
を行わせるために前記プロセッサによって実行可能である、
装置。
【請求項１８】
前記命令が、
前記ＵＬチャネル上で、前記複数のＵＥデバイスのうちの１つまたは複数から、ダウンリンク肯定応答（ＡＣＫ）とダウンリンク否定応答（ＮＡＫ）の一方または両方を受信する
ために前記プロセッサによって実行可能である、請求項１７に記載の装置。
【請求項１９】
前記命令が、
前記ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せと多重化する
ために前記プロセッサによって実行可能である、請求項１７に記載の装置。
【請求項２０】
前記ＵＬチャネルが専用物理アップリンク制御チャネル（ＰＵＣＣＨ）を備える、請求項１７に記載の装置。
【請求項２１】
前記命令が、
前記ＵＬチャネルの同数のリソースを基準シンボル送信およびデータシンボル送信に割り振る
ために前記プロセッサによって実行可能である、請求項１７に記載の装置。
【請求項２２】
前記ＵＬチャネルのリソースを前記複数のＵＥデバイスに割り振るために前記プロセッサによって実行可能な前記命令が、
時間領域におけるクロススロット符号分割多重化（ＣＤＭ）、周波数領域におけるＣＤＭ、周波数領域多重化（ＦＤＭ）、またはそれらの組合せを使用して、前記ＵＬチャネルのリソースを前記複数のＵＥデバイスに割り振る
ために前記プロセッサによって実行可能な命令を備える、請求項１７に記載の装置。
【請求項２３】
前記時間リソースおよび前記周波数リソースのうちの少なくとも前記第１の部分を前記ＵＬチャネルに割り振るために前記プロセッサによって実行可能な前記命令が、
前記複数のサブフレーム中の第１のスロットおよび第２のスロットについて、周波数リソースの同じセットを前記ＵＬチャネルに割り振る
ために前記プロセッサによって実行可能な命令を備える、請求項１７に記載の装置。
【請求項２４】
前記時間リソースおよび前記周波数リソースのうちの少なくとも前記第１の部分を前記ＵＬチャネルに割り振るために前記プロセッサによって実行可能な前記命令が、
前記複数のサブフレーム中のあるサブフレームから別のサブフレームにかけて、周波数リソースの同じセットまたは周波数リソースの異なるセットを前記ＵＬチャネルに割り振る
ために前記プロセッサによって実行可能な命令を備える、請求項１７に記載の装置。
【請求項２５】
前記ＵＬチャネルのリソースを前記複数のＵＥデバイスに割り振るために前記プロセッサによって実行可能な前記命令が、
イントラリソースブロック周波数ホッピングを使用して、前記ＵＬチャネルのリソースを前記複数のＵＥデバイスに割り振る
ために前記プロセッサによって実行可能な命令をさらに備える、請求項１７に記載の装置。
【請求項２６】
前記複数のＵＥデバイスに割り振られた前記ＵＬチャネルの前記時間リソースおよび前記周波数リソースが、バンドルされた送信時間間隔（ＴＴＩ）を備える、請求項１７に記載の装置。
【請求項２７】
前記ＵＬチャネルのリソースを前記複数のＵＥデバイスに割り振るために前記プロセッサによって実行可能な前記命令が、
前記ＵＥデバイスに関連するカバレージ向上（ＣＥ）レベルに少なくとも部分的に基づいて、前記ＵＬチャネルのリソースを前記複数のＵＥデバイスのうちのＵＥデバイスに割り振る
ために前記プロセッサによって実行可能な命令をさらに備える、請求項１７に記載の装置。
【請求項２８】
ユーザ機器（ＵＥ）デバイスにおけるワイヤレス通信のための方法であって、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、
前記ＵＬチャネル上で、ダウンリンク肯定応答（ＡＣＫ）とダウンリンク否定応答（ＮＡＫ）の一方または両方を送信することと
を備える、方法。
【請求項２９】
物理アップリンク共有チャネル（ＰＵＳＣＨ）を送信することをさらに備え、ここにおいて、前記ＵＬチャネルが前記ＰＵＳＣＨと多重化される、
請求項２８に記載の方法。
【請求項３０】
前記ＵＬチャネルが専用物理アップリンク制御チャネル（ＰＵＣＣＨ）を備える、請求項２８に記載の方法。
【請求項３１】
前記ＵＬチャネル上で同数の基準シンボルおよびデータシンボルを送信すること
をさらに備える、請求項２８に記載の方法。
【請求項３２】
前記ＵＬチャネル上で、時間領域におけるクロススロット符号分割多重化（ＣＤＭ）、周波数領域におけるＣＤＭ、周波数領域多重化（ＦＤＭ）、またはそれらの組合せを使用して送信すること
をさらに備える、請求項２８に記載の方法。
【請求項３３】
ユーザ機器（ＵＥ）デバイスにおけるワイヤレス通信のための装置であって、
プロセッサと、
前記プロセッサと電子通信しているメモリと、
前記メモリに記憶された命令と
を備え、前記命令が、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、
前記ＵＬチャネル上で、ダウンリンク肯定応答（ＡＣＫ）とダウンリンク否定応答（ＮＡＫ）の一方または両方を送信することと
を行うために前記プロセッサによって実行可能である、
装置。
【請求項３４】
前記命令が、
物理アップリンク共有チャネル（ＰＵＳＣＨ）を送信するために前記プロセッサによって実行可能であり、ここにおいて、前記ＵＬチャネルが前記ＰＵＳＣＨと多重化される、
請求項３３に記載の装置。
【請求項３５】
前記ＵＬチャネルが専用物理アップリンク制御チャネル（ＰＵＣＣＨ）を備える、請求項３３に記載の装置。
【請求項３６】
前記命令が、
前記ＵＬチャネル上で同数の基準シンボルおよびデータシンボルを送信する
ために前記プロセッサによって実行可能である、請求項３３に記載の装置。
【請求項３７】
前記命令が、
前記ＵＬチャネル上で、時間領域におけるクロススロット符号分割多重化（ＣＤＭ）、周波数領域におけるＣＤＭ、周波数領域多重化（ＦＤＭ）、またはそれらの組合せを使用して送信する
ために前記プロセッサによって実行可能である、請求項３３に記載の装置。
【発明の詳細な説明】
【技術分野】
【０００１】
相互参照
[0001]本特許出願は、各々が本出願の譲受人に譲渡された、２０１６年８月２４日に出願された、「Techniques For Allocating Time And Frequency Resources To An Uplink Channel To Carry Uplink Control Information Used For Narrowband Communication」と題する、Ｗａｎｇらによる米国特許出願第１５／２４５，６４０号、および２０１５年９月２日に出願された、「Techniques For Allocating Time And Frequency Resources To A Dedicated Physical Uplink Control Channel Used For Narrowband Communication」と題する、Ｗａｎｇらによる米国仮特許出願第６２／２１３，５５３号の優先権を主張する。
【０００２】
[0002]本開示は、たとえば、ワイヤレス通信システムに関し、より詳細には、狭帯域通信のために使用されるアップリンク制御情報を搬送するために、時間リソースおよび周波数リソースをＵＬチャネルに割り振ることに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある（たとえば、ロングタームＬチャネルは、専用物理アップリンク制御チャネル（ＰＵＣＣＨ）を備える。ｃｃｅｓｓアクセス通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥデバイスへの送信のために）ダウンリンクチャネル上でＵＥデバイスと通信し、（たとえば、ＵＥデバイスから基地局への送信のために）アップリンクチャネル上でＵＥデバイスと通信し得る。
【０００４】
[0004]いくつかのタイプのＵＥデバイスは、狭帯域通信を使用して基地局または他のＵＥデバイスと通信し得る。狭帯域通信は、たとえば、狭帯域ＬＴＥ（登録商標）（ＮＢ−ＬＴＥ）通信、（本開示の目的のためにマシンタイプ通信（ＭＴＣ）がその一部と見なされ得る）Ｍ２Ｍ通信、ＮＢ−モノのインターネット（ＮＢ−ＩｏＴ：NB-Internet of Things）通信など）を含み得る。狭帯域通信の狭帯域幅を仮定すれば、狭帯域リソースが割り振られるチャネルおよび信号のタイプ、ならびに狭帯域リソースがそのようなチャネルおよび信号に割り振られる様式ならびにそのようなチャネルおよび信号の構成に関する選定が行われる必要があり得る。
【発明の概要】
【０００５】
[0005]本開示は、たとえば、狭帯域通信のために使用されるアップリンク（ＵＬ）チャネルに時間リソースおよび周波数リソースを割り振るための技法に関する。ダウンリンク肯定応答（ＡＣＫ）、ダウンリンク否定応答（ＮＡＫ）、またはチャネル品質情報（ＣＱＩ）など、情報を送信または受信する目的で、リソースがＵＬチャネルに割り振られ得る。いくつかの場合には、ＵＬチャネルは、物理アップリンク制御チャネル（ＰＵＣＣＨ）など、ＵＬ制御チャネルであり得る。いくつかの例では、ＣＱＩは、ＵＬチャネル上で送信されないことがあるが、代わりに、物理アップリンク共有チャネル（ＰＵＳＣＨ）上で送信されることがあるかまたは送信されないことがある。ＣＱＩがＵＥデバイスから基地局に送信されないとき、基地局は、いくつかの方法でチャネル状態情報（ＣＳＩ）を概算し得る。いくつかの例では、ＵＬチャネルのＵＥデバイス送信容量を最適化する（たとえば、最大化する）および／またはＵＥデバイスの送信時間を最適化する（たとえば、最小限に抑える）方法で、リソースがＵＬチャネルに割り振られ得、ＵＬチャネルのリソースが複数のＵＥデバイスに割り振られ得る。
【０００６】
[0006]ワイヤレス通信の方法が説明される。本方法は、複数のサブフレーム中で狭帯域通信のために時間リソースおよび周波数リソースを識別することと、複数のＵＥデバイスを識別することと、ＵＬ制御情報を搬送するために、時間リソースおよび周波数リソースのうちの少なくとも第１の部分をＵＬチャネルに割り振ることと、ＵＬチャネルのリソースを、識別された複数のＵＥデバイスに割り振ることとを含み得る。
【０００７】
[0007]ワイヤレス通信のための装置が説明される。本装置は、複数のサブフレーム中で狭帯域通信のために時間リソースおよび周波数リソースを識別するための手段と、複数のＵＥデバイスを識別するための手段と、ＵＬ制御情報を搬送するために、時間リソースおよび周波数リソースのうちの少なくとも第１の部分をＵＬチャネルに割り振るための手段と、ＵＬチャネルのリソースを、識別された複数のＵＥデバイスに割り振るための手段とを含み得る。
【０００８】
[0008]ワイヤレス通信のための別の装置が説明される。本装置は、プロセッサと、プロセッサと電子通信しているメモリと、メモリに記憶された命令とを含み得る。命令は、複数のサブフレーム中で狭帯域通信のために時間リソースおよび周波数リソースを識別することと、複数のＵＥデバイスを識別することと、ＵＬ制御情報を搬送するために、時間リソースおよび周波数リソースのうちの少なくとも第１の部分をＵＬチャネルに割り振ることと、ＵＬチャネルのリソースを、識別された複数のＵＥデバイスに割り振ることとをプロセッサに行わせるように動作可能であり得る。
【０００９】
[0009]ワイヤレス通信のための非一時的コンピュータ可読媒体が説明される。本非一時的コンピュータ可読媒体は、複数のサブフレーム中で狭帯域通信のために時間リソースおよび周波数リソースを識別することと、複数のＵＥデバイスを識別することと、ＵＬ制御情報を搬送するために、時間リソースおよび周波数リソースのうちの少なくとも第１の部分をＵＬチャネルに割り振ることと、ＵＬチャネルのリソースを、識別された複数のＵＥデバイスに割り振ることとをプロセッサに行わせるように動作可能な命令を含み得る。
【００１０】
[0010] 上記で説明された方法、装置、および非一時的コンピュータ可読媒体のいくつかの例は、ＵＬチャネル上で、複数のＵＥデバイスのうちの１つまたは複数から、ダウンリンクＡＣＫとダウンリンクＮＡＫの一方または両方を受信するためのプロセス、特徴、手段、または命令をさらに含み得る。
【００１１】
[0011]上記で説明された方法、装置、および非一時的コンピュータ可読媒体のいくつかの例は、ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せのうちの１つまたは複数と多重化するためのプロセス、特徴、手段、または命令をさらに含み得る。
【００１２】
[0012]上記で説明された方法、装置、および非一時的コンピュータ可読媒体のいくつかの例では、ＵＬチャネルは専用ＰＵＣＣＨを備える。
【００１３】
[0013]上記で説明された方法、装置、および非一時的コンピュータ可読媒体のいくつかの例は、ＵＬチャネルの同数のリソースを基準シンボル送信およびデータシンボル送信に割り振るためのプロセス、特徴、手段、または命令をさらに含み得る。
【００１４】
[0014]上記で説明された方法、装置、および非一時的コンピュータ可読媒体のいくつかの例では、ＵＬチャネルのリソースを複数のＵＥデバイスに割り振ることは、時間領域におけるクロススロット符号分割多重化（ＣＤＭ）、周波数領域におけるＣＤＭ、周波数領域多重化（ＦＤＭ）、またはそれらの組合せを使用して、ＵＬチャネルのリソースを複数のＵＥデバイスに割り振ることを備える。
【００１５】
[0015]上記で説明された方法、装置、および非一時的コンピュータ可読媒体のいくつかの例は、ＵＬチャネル上で、複数のＵＥデバイスからマルチプルトーン送信を受信するためのプロセス、特徴、手段、または命令をさらに含み得る。
【００１６】
[0016]上記で説明された方法、装置、および非一時的コンピュータ可読媒体のいくつかの例は、ＵＬチャネル上で、並列に、複数のＵＥデバイスからシングルトーン送信を受信するためのプロセス、特徴、手段、または命令をさらに含み得る。
【００１７】
[0017]上記で説明された方法、装置、および非一時的コンピュータ可読媒体のいくつかの例は、ＵＬチャネル上で並列に、複数のＵＥデバイスのうちのＵＥデバイスから、複数のシングルトーン送信を受信するためのプロセス、特徴、手段、または命令をさらに含み得る。
【００１８】
[0018]上記で説明された方法、装置、および非一時的コンピュータ可読媒体のいくつかの例では、時間リソースおよび周波数リソースのうちの少なくとも第１の部分をＵＬチャネルに割り振ることは、複数のサブフレーム中のあるサブフレームから別のサブフレームにかけて、周波数リソースの同じセットまたは周波数リソースの異なるセットをＵＬチャネルに割り振ることを備える。
【００１９】
[0019]上記で説明された方法、装置、および非一時的コンピュータ可読媒体のいくつかの例では、ＵＬチャネルのリソースを複数のＵＥデバイスに割り振ることは、イントラリソースブロック周波数ホッピングを使用して、ＵＬチャネルのリソースを複数のＵＥデバイスに割り振ることを備える。
【００２０】
[0020]上記で説明された方法、装置、および非一時的コンピュータ可読媒体のいくつかの例では、複数のＵＥデバイスに割り振られたＵＬチャネルの時間リソースおよび周波数リソースは、バンドルされた送信時間間隔（ＴＴＩ）を備える。
【００２１】
[0021]上記で説明された方法、装置、および非一時的コンピュータ可読媒体のいくつかの例は、ＳＲＳの測定、狭帯域通信のアップリンクのためのＣＱＩ、ＰＵＳＣＨ上で受信されたＣＱＩ、またはそれらの組合せに少なくとも部分的に基づいて、狭帯域通信の少なくとも１つのダウンリンクのためのＣＳＩを概算するためのプロセス、特徴、手段、または命令をさらに含み得る。
【００２２】
[0022]上記で説明された方法、装置、および非一時的コンピュータ可読媒体のいくつかの例では、ＵＬチャネルのリソースを複数のＵＥデバイスに割り振ることは、ＵＥデバイスに関連するカバレージ拡張（ＣＥ）レベルに少なくとも部分的に基づいて、ＵＬチャネルのリソースを複数のＵＥデバイスのうちのＵＥデバイスに割り振ることを備える。
【００２３】
[0023]上記で説明された方法、装置、および非一時的コンピュータ可読媒体のいくつかの例は、複数のサブフレームの各サブフレームの各シンボル期間中に、ＳＲＳを送信するためのプロセス、特徴、手段、または命令をさらに含み得る。
【００２４】
[0024]ワイヤレス通信の方法が説明される。本方法は、複数のサブフレーム中で狭帯域通信のために時間リソースおよび周波数リソースを識別することと、ＵＥデバイスのためのＵＬ制御情報を搬送するために、ＵＬチャネルに割り振られた時間リソースおよび周波数リソースのうちの少なくとも第１の部分の指示を受信することと、ＵＬチャネル上で、ダウンリンクＡＣＫとダウンリンクＮＡＫの一方または両方を送信することとを含み得る。
【００２５】
[0025]ワイヤレス通信のための装置が説明される。本装置は、複数のサブフレーム中で狭帯域通信のために時間リソースおよび周波数リソースを識別するための手段と、ＵＥデバイスのためのＵＬ制御情報を搬送するために、ＵＬチャネルに割り振られた時間リソースおよび周波数リソースのうちの少なくとも第１の部分の指示を受信するための手段と、ＵＬ上で、ダウンリンクＡＣＫとダウンリンクＮＡＫの一方または両方を送信するための手段とを含み得る。
【００２６】
[0026]ワイヤレス通信のための別の装置が説明される。本装置は、プロセッサと、プロセッサと電子通信しているメモリと、メモリに記憶された命令とを含み得る。命令は、複数のサブフレーム中で狭帯域通信のために時間リソースおよび周波数リソースを識別することと、ＵＥデバイスのためのＵＬ制御情報を搬送するために、ＵＬチャネルに割り振られた時間リソースおよび周波数リソースのうちの少なくとも第１の部分の指示を受信することと、ＵＬチャネル上で、ダウンリンクＡＣＫとダウンリンクＮＡＫの一方または両方を送信することとをプロセッサに行わせるように動作可能であり得る。
【００２７】
[0027]ワイヤレス通信のための非一時的コンピュータ可読媒体が説明される。非一時的コンピュータ可読媒体は、複数のサブフレーム中で狭帯域通信のために時間リソースおよび周波数リソースを識別することと、ＵＥデバイスのためのＵＬ制御情報を搬送するために、ＵＬチャネルに割り振られた時間リソースおよび周波数リソースのうちの少なくとも第１の部分の指示を受信することと、ＵＬチャネル上で、ダウンリンクＡＣＫとダウンリンクＮＡＫの一方または両方を送信することとをプロセッサに行わせるように動作可能な命令を含み得る。
【００２８】
[0028]上記で説明された方法、装置、および非一時的コンピュータ可読媒体のいくつかの例は、物理アップリンク共有チャネル（ＰＵＳＣＨ）を送信するためのプロセス、特徴、手段、または命令をさらに含み得、ここにおいて、ＵＬチャネルはＰＵＳＣＨと多重化され得る。
【００２９】
[0029]上記で説明された方法、装置、および非一時的コンピュータ可読媒体のいくつかの例では、ＵＬチャネルは専用ＰＵＣＣＨを備える。
【００３０】
[0030]上記で説明された方法、装置、および非一時的コンピュータ可読媒体のいくつかの例は、ＵＬチャネル上で同数の基準シンボルおよびデータシンボルを送信するためのプロセス、特徴、手段、または命令をさらに含み得る。
【００３１】
[0031]上記で説明された方法、装置、および非一時的コンピュータ可読媒体のいくつかの例は、ＵＬチャネル上で、時間領域におけるクロススロットＣＤＭ、周波数領域におけるＣＤＭ、ＦＤＭ、またはそれらの組合せを使用して送信するためのプロセス、特徴、手段、または命令をさらに含み得る。
【００３２】
[0032]本開示の性質および利点のさらなる理解は、以下の図面を参照することによって実現され得る。添付の図では、同様の構成要素または特徴は同じ参照ラベルを有し得る。さらに、それらの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３３】
【図１】[0033]本開示の様々な態様による、ワイヤレス通信システムの一例を示す図。
【図２】[0034]本開示の様々な態様による、ワイヤレス通信システムの一例を示す図。
【図３】[0035]本開示の様々な態様による、ＬＴＥ通信とＮＢ−ＬＴＥ通信との間の共存を与える時間および周波数リソース割振りを示す図。
【図４】[0036]本開示の様々な態様による、狭帯域通信（たとえば、ＮＢ−ＬＴＥ通信）のために使用可能なＵＬチャネルのための時間および周波数リソース割振りを示す図。
【図５】[0037]本開示の様々な態様による、狭帯域通信（たとえば、ＮＢ−ＬＴＥ通信）のために使用可能なＵＬチャネルのための時間および周波数リソース割振りを示す図。
【図６】[0038]本開示の様々な態様による、狭帯域通信（たとえば、ＮＢ−ＬＴＥ通信）のために使用可能なＵＬチャネル時間および周波数リソース割振りを示す図。
【図７】[0039]本開示の様々な態様による、狭帯域ＵＥデバイスに割り振られ得る、狭帯域通信（たとえば、ＮＢ−ＬＴＥ通信）のために使用可能なＵＬチャネルのシングルトーンリソースを示す図。
【図８】[0040]本開示の様々な態様による、狭帯域通信（たとえば、ＮＢ−ＬＴＥ通信）のために使用可能なＵＬチャネルのための時間および周波数リソース割振りを示す図。
【図９】[0041]本開示の様々な態様による、狭帯域通信（たとえば、ＮＢ−ＬＴＥ通信）のための使用可能なスーパーフレーム内の時間および周波数リソース割振りを示す図。
【図１０】[0042]本開示の様々な態様による、ワイヤレス通信において使用するためのデバイスの図。
【図１１】[0043]本開示の様々な態様による、ワイヤレス通信マネージャの図。
【図１２】[0044]本開示の様々な態様による、ワイヤレス通信において使用するためのデバイスの図。
【図１３】[0045]本開示の様々な態様による、ワイヤレス通信マネージャの図。
【図１４】[0046]本開示の様々な態様による、ワイヤレス通信において使用するための基地局（たとえば、ｅＮＢの一部または全部を形成する基地局）の図。
【図１５】[0047]本開示の様々な態様による、ワイヤレス通信において使用するためのＵＥデバイスの図。
【図１６】[0048]本開示の様々な態様による、基地局におけるワイヤレス通信のための方法の一例を示すフローチャート。
【図１７】[0049]本開示の様々な態様による、基地局におけるワイヤレス通信のための方法の一例を示すフローチャート。
【図１８】[0050]本開示の様々な態様による、基地局におけるワイヤレス通信のための方法の一例を示すフローチャート。
【図１９】[0051]本開示の様々な態様による、基地局におけるワイヤレス通信のための方法の一例を示すフローチャート。
【図２０】[0052]本開示の様々な態様による、ＵＥデバイスにおけるワイヤレス通信のための方法の一例を示すフローチャート。
【図２１】[0053]本開示の様々な態様による、ＵＥデバイスにおけるワイヤレス通信のための方法の一例を示すフローチャート。
【発明を実施するための形態】
【００３４】
[0054]説明される特徴は、一般に、狭帯域通信のために使用されるアップリンク制御情報を搬送するために、時間リソースおよび周波数リソースをＵＬチャネルに割り振るための改善されたシステム、方法、および装置に関する。いくつかの例では、狭帯域ＵＥデバイスは、極めて低いスループット通信をサポートするか、電力効率的であるか、時々難しい環境において屋内または屋外に展開されるか、比較的低コストであるか、あるいは低減された複雑さを有し得る（たとえば、狭帯域ＵＥデバイスは、回線交換サービスまたは無線アクセス技術（ＲＡＴ）間モビリティをサポートしないことがある）。いくつかの例では、ワイヤレス通信システムにおける狭帯域ＵＥデバイスの密度は、基地局またはアクセスポイント当たり数百または数千程度であり得るが、広帯域ＵＥデバイスの密度は、はるかに低くなり得る。
【００３５】
[0055]狭帯域ＵＥデバイスと広帯域ＵＥデバイスとの間の上記の差を仮定すれば、狭帯域通信のために特に設計されたアップリンク制御情報を搬送するためのＵＬチャネルが望ましいことがある。いくつかの場合には、ＵＬチャネルは、ＵＬ制御チャネルまたは専用ＵＬ制御チャネル、たとえば専用ＰＵＣＣＨであり得る。いくつかの例では、リソース断片化を回避するために、リソースをそのようなＵＬチャネルに割り振るときにＬＴＥ／ＬＴＥ−Ａリソース割振りフレームワークを保持することが望ましいことがある。いくつかの例では、ＵＥデバイス送信容量および／またはＵＥデバイス送信時間を最適化するために、アップリンク制御情報を搬送するためのＵＬチャネルが設計され得る。
【００３６】
[0056]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３７】
[0057]図１は、本開示の様々な態様による、ワイヤレス通信システム１００の一例を示す。ワイヤレス通信システム１００は、基地局１０５と、ＵＥデバイス１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥデバイス１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ２など）を介して、直接または間接的にのいずれかで（たとえば、コアネットワーク１３０を通して）、互いと通信し得る。
【００３８】
[0058]基地局１０５は、１つまたは複数の基地局アンテナを介してＵＥデバイス１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３９】
[0059]いくつかの例では、ワイヤレス通信システム１００はＬＴＥ／ＬＴＥ−Ａネットワークを含み得、以下で説明されるように、狭帯域通信技法を採用し得る。ＬＴＥ／ＬＴＥ−Ａネットワークでは、発展型ノードＢ（ｅＮＢ）という用語は、基地局１０５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４０】
[0060]マクロセルは、比較的大きい地理的エリア（たとえば、半径数キロメートル）をカバーし得、ネットワークプロバイダのサービスに加入しているＵＥデバイスによる無制限アクセスを可能にし得る。スモールセルは、マクロセルと比較して、同じまたは異なる（たとえば、認可、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥデバイスによる無制限アクセスを可能にし得る。フェムトセルは、比較的小さい地理的エリア（たとえば、自宅）を同じくカバーし得、フェムトセルとの関連を有するＵＥデバイス（たとえば、限定加入者グループ（ＣＳＧ：closed subscriber group）中のＵＥデバイス、自宅内のユーザのためのＵＥデバイスなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４１】
[0061]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００４２】
[0062]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥデバイス１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４３】
[0063]ＵＥデバイス１１５は、ワイヤレス通信システム１００全体にわたって分散され得、各ＵＥデバイス１１５は固定または移動であり得る。ＵＥデバイス１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、ＮＢ−ＬＴＥデバイス、Ｍ２Ｍデバイス、ＭＴＣデバイス、ＮＢ−ＩｏＴデバイスなどであり得る。ＵＥデバイス１１５は、マクロｅＮＢ、スモールセルｅＮＢ、リレー基地局などを含む、様々なタイプの基地局１０５およびネットワーク機器と通信することが可能であり得る。
【００４４】
[0064]ワイヤレス通信システム１００に示されている通信リンク１２５は、基地局１０５からＵＥデバイス１１５へのダウンリンク（ＤＬ）送信、またはＵＥデバイス１１５から基地局１０５へのＵＬ送信を含み得る。ダウンリンク送信は順方向リンク送信と呼ばれることもあり、アップリンク送信は逆方向リンク送信と呼ばれることもある。通信リンク１２５は、本開示で説明されるように、狭帯域通信のためのＵＬチャネルリソースを含み得る。
【００４５】
[0065]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４６】
[0066]図２は、本開示の様々な態様による、ワイヤレス通信システム２００の一例を示す。ワイヤレス通信システム２００は、ワイヤレス通信システム１００の一部分の一例であり得、第１の基地局１０５−ａと、第２の基地局１０５−ｂと、第１のＵＥデバイス１１５−ａと、第２のＵＥデバイス１１５−ｂとを含み得る。
【００４７】
[0067]いくつかの例では、第１の基地局１０５−ａは、広帯域通信を使用して第１のＵＥデバイス１１５−ａと通信し得、第２の基地局１０５−ｂは、狭帯域通信を使用して第２のＵＥデバイス１１５−ｂと通信し得る。広帯域通信および狭帯域通信は、同じ無線周波数スペクトル内で行われることがあり、したがって、広帯域通信を使用して通信するデバイスと狭帯域通信を使用するデバイスとの共存を可能にする様式で、広帯域通信および狭帯域通信のためのリソースを割り振ることが望ましいことがある。
【００４８】
[0068]ワイヤレス通信システム２００のいくつかの例では、第１の基地局１０５−ａは、さらに狭帯域通信が可能であり得るか、または第２の基地局１０５−ｂは、さらに広帯域通信が可能であり得る。同様に、第１のＵＥデバイス１１５−ａは、さらに狭帯域通信が可能であり得るか、または第２のＵＥデバイス１１５−ｂは、さらに広帯域通信が可能であり得る。
【００４９】
[0069]図３は、本開示の様々な態様による、ＬＴＥ通信とＮＢ−ＬＴＥ通信との間の共存を与える時間および周波数リソース割振り３００を示す。ＬＴＥ通信は、第１の基地局とＬＴＥ対応ＵＥデバイスのセットとの間で行われ得る。ＮＢ−ＬＴＥ通信は、第１の基地局（または第２の基地局）とＮＢ−ＬＴＥ対応ＵＥデバイスのセットとの間で行われ得る。特定のＵＥデバイスが、ＬＴＥ対応ＵＥデバイスのセット、ＮＢ−ＬＴＥ対応ＵＥデバイスのセット、またはＬＴＥ対応ＵＥデバイスのセットおよびＮＢ−ＬＴＥ対応ＵＥデバイスのセット中に含まれ得る。いくつかの例では、第１の基地局および第２の基地局は、図１および図２を参照しながら説明された基地局１０５の例であり得、ＬＴＥ対応ＵＥデバイスおよびＮＢ−ＬＴＥ対応ＵＥデバイスは、図１および図２を参照しながら説明されたＵＥデバイス１１５の例であり得る。
【００５０】
[0070]ＬＴＥ通信とＮＢ−ＬＴＥ通信との間の共存を与えるために、時間リソースおよび周波数リソースが、ＬＴＥ  ＯＦＤＭヌメロロジーおよびＬＴＥリソースブロックに少なくとも部分的に基づいて、リソース割振りフレームワーク内でＮＢ−ＬＴＥ通信のために割り振られ得る。ＮＢ−ＬＴＥリソース割振りの第１の例では、帯域外ＬＴＥリソース（たとえば、ＬＴＥシステム帯域幅３０５の外側に位置するリソース）が、ＮＢ−ＬＴＥ通信のために割り振られ得る。いくつかの例では、ＮＢ−ＬＴＥ通信のために割り振られた帯域外ＬＴＥリソースは、ＬＴＥシステム帯域幅３０５に隣接するガードバンド３１０中にあり得る。ＮＢ−ＬＴＥリソース割振りの第２および第３の例では、帯域内ＬＴＥリソース（たとえば、ＬＴＥシステム帯域幅３０５の内側に位置するリソース）が、ＮＢ−ＬＴＥ通信のために割り振られ得る。第２の例では、ＮＢ−ＬＴＥ通信のために割り振られた帯域内ＬＴＥリソースは、各サブフレーム中の周波数リソースの同じサブセットにわたるリソースブロックのセット３１５中にあり得る。第３の例では、ＮＢ−ＬＴＥ通信のために割り振られた帯域内ＬＴＥリソースは、サブフレームの第１のセット中の各サブフレーム中に（たとえば、サブフレームＳＦ０、ＳＦ１、およびＳＦ２中に）、異なるサブフレーム中の異なるリソースブロック中にあり得（たとえば、周波数リソースの第１のサブセットにわたるリソースブロックの第１のセット３２０が、ＬＴＥ通信のために未使用であり、したがって、ＮＢ−ＬＴＥ通信のために利用可能であると決定され得）、周波数リソースの第２のサブセットにわたるリソースブロックの第２のセット３２５が、サブフレームの第２のセット中の各サブフレーム中に（たとえば、サブフレームＳＦ２、ＳＦ３、およびＳＦ４中に）、ＬＴＥ通信のために未使用であり、したがって、ＮＢ−ＬＴＥ通信のために利用可能であると決定され得る。
【００５１】
[0071]ＮＢ−ＬＴＥアップリンクを構成するとき、リソースが、ＰＲＡＣＨ、ＰＵＣＣＨ、ＰＵＳＣＨ、またはＳＲＳなど、複数の異なるチャネルまたは信号に割り振られる必要があり得る（たとえば、ＰＲＡＣＨ、ＰＵＣＣＨ、ＰＵＳＣＨ、およびＳＲＳは、ＮＢ−ＬＴＥアップリンク上で多重化される必要があり得る）。リソースは、複数のＵＥデバイスにも割り振られる必要があり得る（たとえば、異なるＵＥデバイスのためのリソース割振りが、ＮＢ−ＬＴＥアップリンク上で多重化される必要があり得る）。いくつかの例では、ＮＢ−ＬＴＥアップリンクのリソースは、単一のリソースブロックの帯域幅内で１２個のトーンがそれの中で定義される、ＬＴＥトーン間隔を使用して、異なるチャネル／信号またはＵＥデバイスに割り振られ得る。他の例では、ＮＢ−ＬＴＥアップリンクリソースの数、グラニュラリティ、または次元が、ＬＴＥトーン間隔よりも細かいＮＢ−ＬＴＥトーン間隔を使用することによって増加され得る。たとえば、７２個のトーン（たとえば、６つのＬＴＥリソースブロックの等価物）が、単一のＬＴＥリソースブロックの帯域幅内で定義され、ＮＢ−ＬＴＥアップリンク中で異なるチャネル／信号またはＵＥデバイスに割り振られ得る。
【００５２】
[0072]いくつかの例では、基地局は、より大きい送信電力またはＴＴＩバンドリングが、受信デバイス（たとえば、基地局またはＵＥデバイス）における受信を改善するために使用され得る、ＣＥレベルを使用して１つまたは複数のＵＥデバイスと通信し得る。ＴＴＩバンドリングは送信の繰返しを可能にし得、繰返しは送信の検出または復号を改善し得る。いくつかの例では、異なる、送信電力、または送信電力およびＴＴＩバンドリングの組合せに関連する、複数のＣＥレベル（たとえば、４つのＣＥレベル）が定義され得る。
【００５３】
[0073]複数のチャネル／信号の多重化、複数のＵＥデバイスの多重化、または狭帯域内での１つまたは複数のＣＥレベルの使用など、ファクタを考慮するＮＢ−ＬＴＥアップリンクリソース割振りが、本開示で説明される。リソース割振りは、たとえば、ＴＤＭ、ＦＤＭ、またはそれらの組合せを使用して、ＮＢ−ＬＴＥリソース（たとえば、スーパーフレームのＮＢ−ＬＴＥリソース）を複数のチャネルまたは信号（たとえば、ＰＲＡＣＨ、ＰＵＣＣＨ、ＰＵＳＣＨ、およびＳＲＳ）に割り振り、ＴＤＭ、ＦＤＭ、時間領域におけるＣＤＭ、周波数領域におけるＣＤＭ、またはそれらの組合せを使用して、ＮＢ−ＬＴＥリソースを複数のＵＥデバイスに割り振り得る。時間領域におけるＣＤＭは、たとえば、クロスシンボルＣＤＭ、クロススロットＣＤＭ、またはクロスサブフレームＣＤＭを含み得る。
【００５４】
[0074]いくつかの例では、ＮＢ−ＬＴＥリソースは、ＵＬチャネルを割り振られ得る。いくつかの例では、ＮＢ−ＬＴＥ周波数リソースは、複数のサブフレーム中の各サブフレームの第１のスロットおよび第２のスロットについて、周波数リソースの同じセットをＵＬチャネルに割り振ることによって、ＵＬチャネルに割り振られ得る（たとえば、ＵＬチャネルに割り振られた周波数リソースは、あるリソースブロックから別のリソースブロックイントラサブフレームにホッピングしないことがある）。いくつかの例では、ＮＢ−ＬＴＥ周波数リソースは、複数のサブフレーム中のあるサブフレームから別のサブフレームにかけて、周波数リソースの同じセットまたは周波数リソースの異なるセットをＵＬチャネルに割り振ることによって、ＵＬチャネルに割り振られ得る。いくつかの場合には、ＵＬチャネルは、専用ＰＵＣＣＨなど、ＵＬ制御チャネルの一例であり得る。
【００５５】
[0075]いくつかの例では、時間領域におけるＣＤＭが、ＵＬチャネルのリソースを複数のＵＥデバイスに割り振るために使用され得る。これらの例では、周波数領域におけるＣＤＭ、またはＦＤＭも、ＵＬチャネルのリソースを複数のＵＥデバイスに割り振るために使用され得る。周波数領域におけるＣＤＭは、ＵＥデバイスがより低いＣＥレベルに関連するとき、ＵＥデバイスごとにより多くの周波数ダイバーシティを与え得、ＦＤＭは、ＵＥデバイスがより高いＣＥレベルに関連するとき、より多くのＵＥデバイスのための送信容量を与え得る。いくつかの例では、ＦＤＭは、ＵＬチャネルのリソースを複数のＵＥデバイスに割り振るために使用され得るが、ＣＤＭは、使用されないことがある。
【００５６】
[0076]いくつかの例では、ＵＬチャネルの周波数リソースが、イントラリソースブロック周波数ホッピングを使用することを行ってまたは行わずに、複数のＵＥデバイスに割り振られ得る。いくつかの例では、ＵＬチャネルのリソースは、バンドルされたＴＴＩを使用して、複数のＵＥデバイスに割り振られ得る。いくつかの例では、ＵＬチャネルの同数のリソースが、基準シンボルおよびデータシンボルに割り振られ得る。
【００５７】
[0077]いくつかの例では、ＵＬチャネルのリソースは、ダウンリンクＡＣＫ、ダウンリンクＮＡＫ、ＣＱＩ、またはそれらの組合せを送信するために、複数のＵＥデバイスに割り振られ得、ＣＱＩを受信する基地局は、受信されたＣＱＩに少なくとも部分的に基づいて、ＮＢ−ＬＴＥダウンリンクのためのＣＳＩを決定し得る。他の例では、ＵＬチャネルのリソースは、ダウンリンクＡＣＫ、ダウンリンクＮＡＫ、またはそれらの組合せを送信するために、複数のＵＥデバイスに割り振られ得、ダウンリンクＡＣＫまたはダウンリンクＮＡＫを受信する基地局は、ＳＲＳの測定、ＮＢ−ＬＴＥアップリンクのためのＣＱＩ、ＰＵＳＣＨ上で受信されたＣＱＩ、またはそれらの組合せに少なくとも部分的に基づいて、ＮＢ−ＬＴＥダウンリンクのためのＣＳＩを概算し得る。ＮＢ−ＬＴＥダウンリンクのためのＣＳＩの概算は、たとえば、基地局のカバレージエリア中の深くで動作するＵＥデバイスについて、ディープカバレージＵＥデバイスによって報告されたＣＱＩが不正確になりやすいことがあり、基地局とディープカバレージＵＥデバイスと間の長い距離を仮定すれば、ＮＢ−ＬＴＥアップリンクのためのＣＱＩとＮＢ−ＬＴＥダウンリンクのためのＣＱＩとがほぼ同じであり得るので、十分であり得る。
【００５８】
[0078]いくつかの例では、ＵＬチャネルのリソースは、ＵＥデバイスに関連するＣＥレベルに少なくとも部分的に基づいて、複数のＵＥデバイスのうちのＵＥデバイスに割り振られ得る。
【００５９】
[0079]一例によれば、より高いＣＥレベルに関連するＵＥデバイスについて、ＵＬチャネルのためにシングルトーンリソースが使用され得る。ＵＬチャネル（たとえば、ＡＣＫチャネル）は、ダウンリンクＡＣＫ、ダウンリンクＮＡＫ、またはそれらの組合せの送信のために、ＵＥデバイスのうちの１つまたは複数に割り振られ得る。ＦＤＭは、シングルトーンリソースがＵＬチャネル（たとえば、ＡＣＫチャネル）のために使用されるとき、周波数領域における異なるＵＥデバイスへの割振りのために使用され得る。他の例では、いくつかのＵＥデバイスのためにより低いＣＥレベルにおいて帯域幅にわたる周波数におけるＣＤＭを使用することは、上記で説明されたように、周波数領域において多重化されたシングルトーン割振りよりも高い全体的多重化容量を有し得る。
【００６０】
[0080]いくつかの例では、時間領域におけるＣＤＭを用いたシングルトーン割振りが、ＵＬチャネル（たとえば、ＡＣＫチャネル）のリソースを複数のＵＥデバイスに割り振るために使用され得る。２つまたはそれ以上のＯＦＤＭシンボル期間が、ＡＣＫ送信を含む、データまたは基準信号送信に割り振られ得る。２つまたはそれ以上のＯＦＤＭシンボル期間は、ＯＦＤＭシンボル期間のペアであり得る。ＯＦＤＭシンボル期間は、時間において隣接するか、または隣接しないことがある。
【００６１】
[0081]いくつかの場合には、狭帯域通信（たとえば、ＮＢ−ＬＴＥ通信）のために使用可能なＵＬチャネルをサポートするシステムは、異なるＵＥデバイスのために、ＡＣＫチャネルを割り振るためのものを含む、リソースをＵＬチャネルに割り振るための、本明細書で説明される複数の異なる技法をサポートし得る。たとえば、基地局は、ＡＣＫチャネルのためのシングルトーンリソースを割り振ることをサポートし得、ここで、リソースが、時間領域におけるＣＤＭを使用して２つ以上のＵＥデバイスに割り振られる。同じ基地局はまた、ＡＣＫチャネルのためのシングルトーンを割り振ることをサポートし得、ここで、異なるＵＥデバイスのためのＡＣＫチャネルのためのリソースが、ＦＤＭを使用して異なるトーンに割り振られる。基地局はまた、（たとえば、リソースブロックのための）時間領域と周波数領域の両方におけるＣＤＭを使用して、ＵＥデバイスのためのＡＣＫチャネルを割り振ることをサポートし得る。いくつかの例では、基地局は、ＵＥデバイスとの間での送信に関連するチャネル特性に基づいて、１つまたは複数のＵＥデバイスの各々について、ＡＣＫチャネルなど、ＵＬチャネルのためのリソースを割り振るための技法を選択し得る。たとえば、良好なチャネル特性を有するＵＥデバイスへのＡＣＫチャネルのための割振りは、ＡＣＫチャネルが、リソースブロックのための時間領域と周波数領域の両方におけるＣＤＭを使用して割り振られる技法を使用し得るが、不十分なチャネル特性を有するＵＥデバイスへのＡＣＫチャネルのための割振りは、上記で説明されたシングルトーン割振り技法のうちの１つを使用し得る。基地局は、異なるリソースブロック間で、たとえば同じスロットまたは同じサブフレームの異なるリソースブロック間で、あるいは異なるスロットまたはサブフレームにわたって、異なる割振り技法をサポートし得る。
【００６２】
[0082]図４は、本開示の様々な態様による、狭帯域通信（たとえば、ＮＢ−ＬＴＥ通信）のために使用可能なＵＬチャネルのための時間および周波数リソース割振り４００を示す。狭帯域通信は、基地局と狭帯域（たとえば、ＮＢ−ＬＴＥ対応）ＵＥデバイスのセットとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。
【００６３】
[0083]例として、時間および周波数リソース割振り４００は、１６８個の基準要素を有する単一のＬＴＥリソースブロック４０５（たとえば、１２個のトーンおよび１４個のＯＦＤＭシンボル期間にわたるリソースブロック）に対応し得る。ＯＦＤＭシンボル期間は、２つのスロット（たとえば、第１のスロット４１０および第２のスロット４１５）と１つのサブフレーム４２０とを定義し得る。各スロットのＯＦＤＭシンボル期間は、１〜７の番号を付けられる。ＬＴＥ  ＰＵＣＣＨのための時間および周波数リソース割振りと同様に、各スロットのＯＦＤＭシンボル期間３、４、および５に関連するリソース要素が、基準シンボル送信のために割り振られ得、各スロットのＯＦＤＭシンボル期間１、２、６、および７に関連するリソース要素が、データシンボル送信（たとえば、ダウンリンクＡＣＫ／ＮＡＫ送信）に割り振られ得る。
【００６４】
[0084]いくつかの例では、図４中のＵＬチャネルに割り振られた周波数リソースは、１つまたは複数の他のサブフレーム中のＵＬチャネルに割り振られた周波数リソースの同じセットまたは周波数リソースの異なるセットであり得る。いくつかの場合には、ＵＬチャネルは、専用ＰＵＣＣＨなど、ＵＬ制御チャネルの一例であり得る。
【００６５】
[0085]いくつかの例では、時間領域におけるクロススロットＣＤＭが、ＵＬチャネルのリソースを複数のＵＥデバイスに割り振るために使用され得る。時間領域におけるクロススロットＣＤＭは、少なくとも部分的に、各サブフレームの第１のスロットおよび第２のスロットについて周波数リソースの同じセットをＵＬチャネルに割り振ることによって（たとえば、サブフレーム内で周波数リソースをＵＬチャネルに割り振るとき、リソースブロック間のイントラサブフレーム周波数ホッピングを制限することによって）可能にされ得る。いくつかの例では、時間領域におけるクロススロットＣＤＭを適用することは、第１のスロット４１０および第２のスロット４１５中のデータシンボル送信に割り振られた直交カバーコードを８つのＯＦＤＭシンボル期間に適用することと、６の拡散率を有する離散フーリエ変換（ＤＦＴ）を、第１のスロット４１０および第２のスロット４１５中の基準シンボル送信に割り振られた６つのＯＦＤＭシンボル期間に適用することとを含み得る。いくつかの例では、クロススロットＣＤＭは、時間領域におけるクロスサブフレームＣＤＭを含み得る。いくつかの例では、時間領域におけるクロススロットＣＤＭは、周波数領域におけるＣＤＭとともに、ＵＬチャネルのリソースを複数のＵＥデバイスに割り振るために使用され得る。他の例では、時間領域におけるクロススロットＣＤＭは、ＦＤＭとともに、ＵＬチャネルのリソースを複数のＵＥデバイスに割り振るために使用され得る（たとえば、各ＵＥデバイスは、１つまたは複数の個々のトーンを割り振られ得る）。いくつかの例では、時間および周波数リソース割振り４００の周波数リソースは、７２個のトーンに再分割され得る。
【００６６】
[0086]図５は、本開示の様々な態様による、狭帯域通信（たとえば、ＮＢ−ＬＴＥ通信）のために使用可能なＵＬチャネルのための時間および周波数リソース割振り５００を示す。狭帯域通信は、基地局と狭帯域（たとえば、ＮＢ−ＬＴＥ対応）ＵＥデバイスのセットとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。いくつかの場合には、ＵＬチャネルは、専用ＰＵＣＣＨなど、ＵＬ制御チャネルの一例であり得る。
【００６７】
[0087]例として、時間および周波数リソース割振り５００は、組み合わせられた３３６個の基準要素を有するＬＴＥリソースブロックまたはサブフレームのペア（たとえば、第１のＬＴＥリソースブロック５０５または第１のサブフレーム５１０、および第２のＬＴＥリソースブロック５１５または第２のサブフレーム５２０）に対応し得る（たとえば、各ＬＴＥリソースブロックは、１２個のトーンおよび１４個のＯＦＤＭシンボル期間にわたり得る）。各ＬＴＥリソースブロックのＯＦＤＭシンボル期間は、２つのスロットを定義し得る（たとえば、第１のＬＴＥリソースブロック５０５のＯＦＤＭシンボル期間は、第１のスロット５２５と第２のスロット５３０とを定義し得、第２のＬＴＥリソースブロック５１５のＯＦＤＭシンボル期間は、第３のスロット５３５と第４のスロット５４０とを定義し得る）。
【００６８】
[0088]ＵＬチャネルの同数のリソース（たとえば、リソース要素）が、基準シンボル送信およびデータシンボル送信に割り振られ得る。たとえば、各ＬＴＥリソースブロックまたはサブフレームの第２のスロット中に含まれるリソース要素（たとえば、第２のスロット５３０および第４のスロット５４０中に含まれるリソース要素）は、基準シンボル送信に割り振られ得、各ＬＴＥリソースブロックまたはサブフレームの第１のスロット中に含まれるリソース要素（たとえば、第１のスロット５２５および第３のスロット５３５）は、データシンボル送信に割り振られ得る。代替的に、ＵＬチャネルのＯＦＤＭシンボル期間は、代替的に、基準シンボル送信およびデータシンボル送信に割り振られ得る。基準シンボル送信またはデータシンボル送信への、複数の連続するＯＦＤＭシンボル期間の割振りは、いくつかの場合には、より良い直交性および増加されたＵＥデバイス送信容量を与え得る。基準シンボル送信またはデータシンボル送信への交互ＯＦＤＭシンボル期間の割振りは、いくつかの場合には、より良いチャネル推定を与え得る。他の代替では、サブフレーム（たとえば、第１のサブフレーム５１０および第２のサブフレーム５２０）は、代替的に、基準シンボル送信およびデータシンボル送信に割り振られ得るか、またはＵＬチャネルに割り振られたリソースは、他の方法で基準シンボル送信およびデータシンボル送信に等しく割り振られ得る。基準シンボル送信およびデータシンボル送信への、等しい（同じ）数のリソースの割振りが、より良い品質送信を与え得、より大きい数のリソースにわたる拡散（たとえば、７×直交カバーコードの（たとえば、ＤＦＴのための拡散率が７、１４、２１などであり得るような）拡散率を有するＤＦＴを適用することによるＤＦＴ拡散を可能にし得、これは、より多くのＵＥデバイスの送信を扱うために、ＵＬチャネルの送信容量を増加させることができる。いくつかの例では、拡散率は、ＴＴＩバンドリングサイズによって制限され得、ここで、ＴＴＩバンドリングサイズは、デバイス（たとえば、ＵＥデバイス）モビリティによって制限され得る。
【００６９】
[0089]いくつかの例では、図４中のＵＬチャネルに割り振られた周波数リソースは、１つまたは複数の他のサブフレーム中のＵＬチャネルに割り振られた周波数リソースの同じセットまたは周波数リソースの異なるセットであり得る。
【００７０】
[0090]いくつかの例では、時間領域におけるクロスサブフレームＣＤＭが、ＵＬチャネルのリソースを複数のＵＥデバイスに割り振るために使用され得る。時間領域におけるクロスサブフレームＣＤＭは、少なくとも部分的に、第１のサブフレーム５１０および第２のサブフレーム５２０について周波数リソースの同じセットをＵＬチャネルに割り振ることによって（たとえば、サブフレーム内で周波数リソースをＵＬチャネルに割り振るとき、リソースブロック間のイントラサブフレームおよびインターサブフレーム周波数ホッピングを制限することによって）可能にされ得るが、異なるＴＴＩバンドルのリソースをＵＬチャネルに割り振るとき、インターサブフレーム周波数が可能にされ得る。他の例では、時間領域におけるクロススロットＣＤＭと、ＦＤＭとが、ＵＬチャネルのリソースを複数のＵＥデバイスに割り振るために使用され得る（たとえば、各ＵＥデバイスは、１つまたは複数の個々のトーンを割り振られ得る）。いくつかの例では、時間および周波数リソース割振り５００の周波数リソースが、７２個のトーンに再分割され得る。
【００７１】
[0091]図６は、本開示の様々な態様による、狭帯域通信（たとえば、ＮＢ−ＬＴＥ通信）のために使用可能なＵＬチャネルのための時間および周波数リソース割振り６００を示す。狭帯域通信は、基地局と狭帯域（たとえば、ＮＢ−ＬＴＥ対応）ＵＥデバイスのセットとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。いくつかの場合には、ＵＬチャネルは、専用ＰＵＣＣＨなど、ＵＬ制御チャネルの一例であり得る。
【００７２】
[0092]例として、時間および周波数リソース割振り６００は、組み合わせられた６７２個の基準要素を有する４つのＬＴＥリソースブロックまたはサブフレーム（たとえば、第１のＬＴＥリソースブロック６０５または第１のＬＴＥサブフレーム６１０、第２のＬＴＥリソースブロック６１５または第２のＬＴＥサブフレーム６２０、第３のＬＴＥリソースブロック６２５または第３のサブフレーム６３０、および第４のＬＴＥリソースブロック６３５または第４のサブフレーム６４０）に対応し得る（たとえば、各ＬＴＥリソースブロックは、１２個のトーンおよび１４個のＯＦＤＭシンボル期間にわたり得る）。各ＬＴＥリソースブロックのＯＦＤＭシンボル期間は、２つのスロットを定義し得る（たとえば、第１のＬＴＥリソースブロック６０５のＯＦＤＭシンボル期間は、第１のスロット６４５と第２のスロット６５０とを定義し得るなど）。
【００７３】
[0093]第１のＬＴＥサブフレーム６１０および第２のＬＴＥサブフレーム６２０のＴＴＩ（たとえば、スロット）がバンドルされ得、図５を参照しながら説明されたように、時間領域におけるクロスサブフレームＣＤＭが、第１のＬＴＥリソースブロック６０５および第２のＬＴＥリソースブロック６１５のリソースを複数のＵＥデバイスに割り振るために使用され得る。周波数領域におけるＣＤＭ、またはＦＤＭも、第１のＬＴＥリソースブロック６０５および第２のＬＴＥリソースブロック６１５のリソースを複数のＵＥデバイスに割り振るために使用され得る。第３のＬＴＥリソースブロック６２５および第４のＬＴＥリソースブロック６３５のＴＴＩもバンドルされ得、時間領域におけるクロスサブフレームＣＤＭおよび図５を参照しながら説明された他の技法が、第３のＬＴＥリソースブロック６２５および第４のＬＴＥリソースブロック６３５のリソースを複数のＵＥデバイスに割り振るために使用され得る。
【００７４】
[0094]同じまたは異なる周波数リソースが、バンドルされたＴＴＩに対応するスロットおよびサブフレームに割り振られ得る。図６に示されているように、周波数ホッピングが、バンドルされたＴＴＩの２つのセグメント間で可能にされ得る（たとえば、バンドルされたＴＴＩの異なるセグメントに関連する周波数リソースは、同じであるかまたは異なり得る）。バンドルされた送信内の周波数ホッピングは、周波数ダイバーシティを与え得る。
【００７５】
[0095]第１のＬＴＥリソースブロック６０５および第２のＬＴＥリソースブロック６１５のＴＴＩ（たとえば、サブフレーム）がバンドルされ得、時間領域におけるクロスサブフレームＣＤＭが、図５を参照しながら説明されたように、第１のＬＴＥリソースブロック６０５および第２のＬＴＥリソースブロック６１５のリソースを複数のＵＥデバイスに割り振るために使用され得る。周波数領域におけるＣＤＭ、またはＦＤＭも、第１のＬＴＥリソースブロック６０５および第２のＬＴＥリソースブロック６１５のリソースを複数のＵＥデバイスに割り振るために使用され得る。第３のＬＴＥリソースブロック６２５および第４のＬＴＥリソースブロック６３５のＴＴＩもバンドルされ得、時間領域におけるクロスサブフレームＣＤＭおよび図５を参照しながら説明された他の技法が、第３のＬＴＥリソースブロック６２５および第４のＬＴＥリソースブロック６３５のリソースを複数のＵＥデバイスに割り振るために使用され得る。
【００７６】
[0096]図６に示されているように、同じ周波数リソースが、バンドルされたＴＴＩに対応するスロットおよびサブフレームに割り振られ得る。しかしながら、クロスサブフレーム周波数ホッピングが、バンドルされたＴＴＩの２つのセグメント間で可能にされ得る（たとえば、バンドルされたＴＴＩの異なるセグメントに関連する周波数リソースは、同じであるかまたは異なり得る）。
【００７７】
[0097]図７は、本開示の様々な態様による、狭帯域ＵＥデバイスに割り振られ得る、狭帯域通信（たとえば、ＮＢ−ＬＴＥ通信）のために使用可能なＵＬチャネルのシングルトーンリソース７００を示す。狭帯域通信は、基地局と狭帯域ＵＥデバイスとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。いくつかの場合には、ＵＬチャネルは、専用ＰＵＣＣＨなど、ＵＬ制御チャネルの一例であり得る。
【００７８】
[0098]例として、シングルトーンリソース７００は、４つのＬＴＥサブフレーム（たとえば、第１のＬＴＥサブフレーム７０５、第２のＬＴＥサブフレーム７１０、第３のＬＴＥサブフレーム７１５、および第４のＬＴＥサブフレーム７２０）に対応し得る。各ＬＴＥサブフレームは、１４個のＯＦＤＭシンボル期間にわたり得る。各ＬＴＥサブフレームのＯＦＤＭシンボル期間は、２つのスロットを定義し得る（たとえば、第１のＬＴＥサブフレーム７０５のＯＦＤＭシンボル期間は、第１のスロット７２５と第２のスロット７３０とを定義し得るなど）。
【００７９】
[0099]第１のＬＴＥサブフレーム７０５、第２のＬＴＥサブフレーム７１０、第３のＬＴＥサブフレーム７１５、および第４のＬＴＥサブフレーム７２０のＴＴＩ（たとえば、スロット）がバンドルされ得る。各ＴＴＩバンドル内で、ＵＥデバイスに割り振られたトーンが、ＬＴＥリソースブロック内の周波数をホッピングし得る（図７に示されているように、クロスサブフレーム、またはクロススロット）。ＴＴＩバンドル間で、ＵＥデバイスに割り振られたトーンは、ＬＴＥリソースブロック間で周波数をホッピングし得る。しかしながら、ＴＴＩバンドル内のＬＴＥリソースブロックを用いた周波数ホッピングは、時間領域におけるクロススロットＣＤＭまたはクロスサブフレームＣＤＭの使用に干渉し得る。
【００８０】
[00100]いくつかの場合には、たとえば、ＵＥデバイスがより高いＣＥレベルに関連し得るとき、ＵＬチャネルのためにシングルトーンリソース７００が使用され得る。上記でさらに説明されたように、ＵＬチャネル（たとえば、ＡＣＫチャネル）は、ダウンリンクＡＣＫ、ダウンリンクＮＡＫ、またはそれらの組合せの送信のために、ＵＥデバイスのうちの１つまたは複数に割り振られ得る。ＡＣＫチャネル、または別のＵＬチャネルは、ＡＣＫ／ＮＡＫの送信のためにシングルトーンリソース７００を使用し得る。ＵＥデバイスは、特定のスロット（たとえば、第１のスロット７２５）またはサブフレーム（たとえば、第１のサブフレーム７０５）についてシングルトーンリソース７００を使用し、いくつかの異なるユーザ（たとえば、狭帯域ＵＥデバイス）のための割振りが、スロットまたはサブフレームについて、帯域幅の一部または全部にわたって周波数領域多重化され得る。
【００８１】
[00101]いくつかの場合には、より高いＣＥレベルの使用は、より低い全体的有効帯域幅を生じ得る。ＡＣＫチャネル（または他のＵＬチャネル）のためのシングルトーン割振りのためのＦＤＭの使用は、より高いＣＥレベルが使用される場合、全体的多重化容量を改善し得る。たとえば、より高いＣＥレベルについて帯域幅にわたってＦＤＭされるシングルトーン割振りを使用するときの全体的多重化容量は、より高いＣＥレベルについて帯域幅にわたる周波数におけるＣＤＭを使用することに対する容量の改善であり得る。より低いＣＥレベルを使用するＵＥデバイスの場合など、他の例では、帯域幅にわたる周波数におけるＣＤＭを使用することは、ユーザのために帯域幅にわたるＦＤＭを使用するシングルトーン割振りよりも高い全体的多重化容量を有し得る。
【００８２】
[00102]図８は、本開示の様々な態様による、狭帯域通信（たとえば、ＮＢ−ＬＴＥ通信）のために使用可能なＵＬチャネルのための時間および周波数リソース割振り８００を示す。狭帯域通信は、基地局と狭帯域（たとえば、ＮＢ−ＬＴＥ対応）ＵＥデバイスのセットとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。いくつかの場合には、ＵＬチャネルは、専用ＰＵＣＣＨなど、ＵＬ制御チャネルの一例であり得る。
【００８３】
[00103]例として、時間および周波数リソース割振り８００は、１６８個の基準要素を有する単一のＬＴＥリソースブロック８０５（たとえば、１２個のトーンおよび１４個のＯＦＤＭシンボル期間にわたるリソースブロック）に対応し得る。ＯＦＤＭシンボル期間は、２つのスロット（たとえば、第１のスロット８１０および第２のスロット８１５）と１つのサブフレーム８２０とを定義し得る。各スロットのＯＦＤＭシンボル期間は、１〜７の番号を付けられる。ＬＴＥ  ＰＵＣＣＨのための時間および周波数リソース割振りと同様に、各スロットのＯＦＤＭシンボル期間２および６に関連するリソース要素が、基準シンボル送信のために割り振られ得、各スロットのＯＦＤＭシンボル期間１、３、４、５、および７に関連するリソース要素が、データシンボル送信（たとえば、ＣＱＩ送信）に割り振られ得る。いくつかの例では、図８中のＵＬチャネルに割り振られた周波数リソースは、１つまたは複数の他のサブフレーム中のＵＬチャネルに割り振られた周波数リソースの同じセットまたは周波数リソースの異なるセットであり得る。
【００８４】
[00104]いくつかの例では、時間領域におけるＣＤＭが、ＵＬチャネルのリソースを複数のＵＥデバイスに割り振るために使用され得る。いくつかの例では、時間領域におけるＣＤＭを適用することは、直交カバーコードを、データシンボル送信に割り振られたＯＦＤＭシンボル期間のペアに（たとえば、第１のＯＦＤＭシンボルペア８２５、第２のＯＦＤＭシンボルペア８３０、第３のＯＦＤＭシンボルペア８３５、第４のＯＦＤＭシンボルペア８４０、および第５のＯＦＤＭシンボルペア８４５に）適用することを含み得る。（たとえば、直交カバーコードを第３のＯＦＤＭシンボルペア８３５に適用するための）時間領域におけるクロススロットＣＤＭが、少なくとも部分的に、サブフレーム８２０の第１のスロット８１０および第２のスロット８１５について周波数リソースの同じセットをＵＬチャネルに割り振ることによって（たとえば、サブフレーム内で周波数リソースをＵＬチャネルに割り振るとき、リソースブロック間のイントラサブフレーム周波数ホッピングを制限することによって）可能にされ得る。時間領域におけるＣＤＭを適用することはまた、２の拡散率の直交カバーコード（または他のＣＤＭコード）を、基準シンボル送信に割り振られたＯＦＤＭシンボル期間のペアに（たとえば、第６のＯＦＤＭシンボルペア８５０および第７のＯＦＤＭシンボルペア８５５に）適用することを含み得る。いくつかの例では、時間領域におけるＣＤＭは、周波数領域におけるＣＤＭとともに、ＵＬチャネルのリソースを複数のＵＥデバイスに割り振るために使用され得る。
【００８５】
[00105]他の例では、時間領域におけるＣＤＭは、ＦＤＭとともに、ＵＬチャネルのリソースを複数のＵＥデバイスに割り振るために使用され得る（たとえば、各ＵＥデバイスは、１つまたは複数の個々のトーンを割り振られ得る）。たとえば、時間領域におけるＣＤＭは、ＬＴＥリソースブロック８０５のシングルトーンのために、ＵＬチャネルのリソースを、上記で説明されたＵＥデバイスの第１のセットに割り振るために使用され得、ここで、ＣＤＭは、（たとえば、直交カバーコードを適用することによって）そのトーンのためのデータまたは基準シンボル送信に割り振られた２つ以上のＯＦＤＭシンボル期間に適用され得る。２つ以上のＯＦＤＭシンボル期間は、上記で説明されたように、ＯＦＤＭシンボル期間のペアであり得る。シングルトーン割振りのための例では、ＦＤＭが適用され得るが、ＣＤＭは、周波数領域において適用されないことがある。符号分割多重化されるＯＦＤＭシンボルは、ＬＴＥリソースブロック８０５内で周波数領域多重化され得る。
【００８６】
[00106]ＵＥデバイスの第２のセットなど、追加のＵＥデバイスの場合、時間領域におけるＣＤＭは、ＬＴＥリソースブロック８０５の１つまたは複数の他のトーンのために同様に適用され得る。ＣＤＭは、データまたは基準シンボル期間のためのＯＦＤＭシンボル期間に適用され得る。
【００８７】
[00107]上記で説明されたいくつかの例では、ＯＦＤＭシンボル期間のペアのうちの１つまたは複数が、ＵＥデバイスのための１つまたは複数のＡＣＫチャネルの１つまたは複数のシングルトーンＡＣＫまたはＮＡＫを搬送し得る。したがって、ＵＥデバイスのための（たとえば、ダウンリンクＡＣＫおよびダウンリンクＮＡＫを搬送するための）ＡＣＫチャネルは、他のＵＥデバイスのための１つまたは複数の他のＡＣＫチャネルとともに時間領域におけるＣＤＭを用いたシングルトーン送信であり得る。ＡＣＫチャネルは、ＬＴＥリソースブロック８０５内で周波数分割多重化され得る（および周波数において符号分割多重化されないことがある）。
【００８８】
[00108]いくつかの例では、時間および周波数リソース割振り８００の周波数リソースは、７２個のトーンに再分割され得る。
【００８９】
[00109]図９は、本開示の様々な態様による、狭帯域通信（たとえば、ＮＢ−ＬＴＥ通信）のための使用可能なスーパーフレーム９０５内の時間および周波数リソース割振り９００を示す。狭帯域通信は、基地局と狭帯域（たとえば、ＮＢ−ＬＴＥ対応）ＵＥデバイスのセットとの間で行われ得る。いくつかの例では、基地局は、図１および図２を参照しながら説明された基地局１０５の一例であり得、狭帯域ＵＥデバイスは、図１および図２を参照しながら説明されたＵＥデバイス１１５の一例であり得る。
【００９０】
[00110]例として、スーパーフレーム９０５のリソースは、ＰＲＡＣＨ、ＵＬ制御情報を搬送するＵＬチャネル、ＰＵＳＣＨ、およびＳＲＳに割り振られ得る。いくつかの場合には、ＵＬチャネルは、専用ＰＵＣＣＨなど、ＵＬ制御チャネルの一例であり得る。いくつかの例では、リソースは、スーパーフレームの各サブフレームの各シンボル期間中のＳＲＳに割り振られ得る。いくつかの例では、リソースは、リソースがそれの中でＵＬチャネルまたはＰＵＳＣＨに割り振られる各サブフレームの最後のシンボル期間中のＳＲＳに割り振られ得る。ＰＲＡＣＨ、ＵＬチャネル、ＰＵＳＣＨ、およびＳＲＳは、時間領域、周波数領域、またはそれらの組合せにおいて、スーパーフレーム９０５のリソース上で多重化され得る。
【００９１】
[00111]図１０は、本開示の様々な態様による、ワイヤレス通信において使用するためのデバイス１００５の図１０００を示す。デバイス１００５は、図１および図２を参照しながら説明された基地局１０５のうちの１つまたは複数の態様の一例であり得る。デバイス１００５はまた、プロセッサであるか、またはプロセッサを含み得る。デバイス１００５は、受信機１０１０、ワイヤレス通信マネージャ１０２０、または送信機１０３０を含み得る。これらの構成要素の各々は互いと通信していることがある。
【００９２】
[00112]デバイス１００５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、フィールドプログラマブルゲートアレイ（ＦＰＧＡ）、システムオンチップ（ＳｏＣ）、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９３】
[00113]いくつかの例では、受信機１０１０は、少なくとも１つの無線周波数スペクトル帯域上での送信を受信するように動作可能な少なくとも１つの無線周波数（ＲＦ）受信機など、少なくとも１つのＲＦ受信機を含み得る。いくつかの例では、少なくとも１つの無線周波数スペクトル帯域のうちの１つまたは複数が、たとえば、図１〜図９を参照しながら説明されたように、狭帯域通信（たとえば、ＮＢ−ＬＴＥ通信）のために使用され得る。受信機１０１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号を受信するために使用され得る。
【００９４】
[00114]いくつかの例では、送信機１０３０は、少なくとも１つの無線周波数スペクトル帯域上で送信するように動作可能な少なくとも１つのＲＦ送信機など、少なくとも１つのＲＦ送信機を含み得る。送信機１０３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号を送信するために使用され得る。
【００９５】
[00115]いくつかの例では、ワイヤレス通信マネージャ１０２０は、デバイス１００５のためのワイヤレス通信の１つまたは複数の態様を管理するために使用され得る。いくつかの例では、ワイヤレス通信マネージャ１０２０の一部は、受信機１０１０または送信機１０３０に組み込まれるか、あるいはそれと共有され得る。いくつかの例では、ワイヤレス通信マネージャ１０２０は、リソース識別器１０３５、ＵＥデバイス識別器１０４０、ＵＬチャネルリソースアロケータ（allocator）１０４５、またはＵＥデバイスリソースアロケータ１０５０を含み得る。
【００９６】
[00116]リソース識別器１０３５は、複数のサブフレームの各サブフレーム中で狭帯域通信のために時間リソースおよび周波数リソースを識別するために使用され得る。識別されたリソースは、図３を参照しながら説明されたように、帯域外リソースまたは帯域内リソースを含み得る。ＵＥデバイス識別器１０４０は、複数のＵＥデバイス（たとえば、狭帯域通信のためのアップリンクリソースを必要とするＵＥデバイス）を識別するために使用され得る。ＵＬチャネルリソースアロケータ１０４５は、時間リソースおよび周波数リソースのうちの少なくとも第１の部分をＵＬチャネルに割り振るために使用され得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。ＵＥデバイスリソースアロケータ１０５０は、ＵＬチャネルのリソースを、識別された複数のＵＥデバイスに割り振るために使用され得る。いくつかの例では、ＵＬチャネルは、専用ＰＵＣＣＨなど、ＵＬ制御チャネルの一例であり得る。
【００９７】
[00117]図１１は、本開示の様々な態様による、ワイヤレス通信マネージャ１０２０−ａの図１１００を示す。ワイヤレス通信マネージャ１０２０−ａは、図１０を参照しながら説明されたワイヤレス通信マネージャ１０２０の代替であり得るか、または図１および図２を参照しながら説明された基地局１０５のうちの１つまたは複数の中で与えられ得る。ワイヤレス通信マネージャ１０２０−ａは、基地局のためのワイヤレス通信の１つまたは複数の態様を管理するために使用され得る。いくつかの例では、ワイヤレス通信マネージャ１０２０−ａの一部は、図１０を参照しながら説明されたデバイス１００５の受信機１０１０または送信機１０３０など、デバイスの受信機または送信機に組み込まれるか、あるいはそれと共有され得る。いくつかの例では、ワイヤレス通信マネージャ１０２０−ａは、図１０を参照しながら説明されたリソース識別器１０３５、ＵＥデバイス識別器１０４０、ＵＬチャネルリソースアロケータ１０４５、またはＵＥデバイスリソースアロケータ１０５０の例であり得る、リソース識別器１０３５−ａ、ＵＥデバイス識別器１０４０−ａ、ＵＬチャネルリソースアロケータ１０４５−ａ、またはＵＥデバイスリソースアロケータ１０５０−ａを含み得る。ワイヤレス通信マネージャ１０２０−ａはまた、ＰＲＡＣＨリソースアロケータ１１０５、ＰＵＳＣＨリソースアロケータ１１１０、ＳＲＳリソースアロケータ１１１５、またはフィードバックプロセッサ１１３５を含み得る。
【００９８】
[00118]ワイヤレス通信マネージャ１０２０−ａの構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９９】
[00119]リソース識別器１０３５−ａは、複数のサブフレームの各サブフレーム中で狭帯域通信のために時間リソースおよび周波数リソースを識別するために使用され得る。識別されたリソースは、図３を参照しながら説明されたように、帯域外リソースまたは帯域内リソースを含み得る。
【０１００】
[00120]ＵＥデバイス識別器１０４０−ａは、複数のＵＥデバイス（たとえば、狭帯域通信のためのアップリンクリソースを必要とするＵＥデバイス）を識別するために使用され得る。
【０１０１】
[00121]ＵＬチャネルリソースアロケータ１０４５−ａは、時間リソースおよび周波数リソースのうちの少なくとも第１の部分をＵＬチャネルに割り振るために使用され得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。いくつかの例では、ＵＬチャネルは、専用ＰＵＣＣＨなど、ＵＬ制御チャネルの一例であり得る。
【０１０２】
[00122]ＰＲＡＣＨリソースアロケータ１１０５は、時間リソースおよび周波数リソースのうちの第２の部分をＰＲＡＣＨに割り振るために使用され得る。ＰＵＳＣＨリソースアロケータ１１１０は、時間リソースおよび周波数リソースのうちの第３の部分をＰＵＳＣＨに割り振るために使用され得る。ＳＲＳリソースアロケータ１１１５は、時間リソースおよび周波数リソースのうちの第４の部分をＳＲＳに割り振るために使用され得る。いくつかの例では、ＵＬチャネルリソースアロケータ１０４５−ａ、ＰＲＡＣＨリソースアロケータ１１０５、ＰＵＳＣＨリソースアロケータ１１１０、またはＳＲＳリソースアロケータ１１１５のうちの２つまたはそれ以上の組合せは、（狭帯域通信のために識別された時間リソース上で）時間領域、（狭帯域通信のために識別された周波数リソース上で）周波数領域、またはそれらの組合せにおいて、ＵＬチャネル、ＰＲＡＣＨ、ＰＵＳＣＨ、またはＳＲＳを多重化し得る。
【０１０３】
[00123]いくつかの例では、ＳＲＳリソースアロケータ１１１５は、複数のサブフレームの各々の各シンボル期間中のＳＲＳを送信するためのリソースを割り振り得る。いくつかの例では、ＳＲＳリソースアロケータ１１１５は、リソースがそれの中でＵＬチャネルまたはＰＵＳＣＨに割り振られる各サブフレームの最後のシンボル期間中のＳＲＳを送信するためのリソースを割り振り得る。
【０１０４】
[00124]ＵＥデバイスリソースアロケータ１０５０−ａは、ＵＬチャネルのリソースを、識別された複数のＵＥデバイスに割り振るために使用され得る。いくつかの例では、ＵＬチャネルのリソースは、イントラリソースブロック周波数ホッピングを使用して、複数のＵＥデバイスに割り振られ得る。いくつかの例では、ＵＬチャネルのリソースは、追加または代替として、ＵＥデバイスに関連するＣＥレベルに少なくとも部分的に基づいて、複数のＵＥデバイスのうちのＵＥデバイスに割り振られ得る。いくつかの例では、複数のＵＥデバイスに割り振られたＵＬチャネルのリソースは、バンドルされたＴＴＩを含み得る。
【０１０５】
[00125]いくつかの例では、ＵＥデバイスリソースアロケータ１０５０−ａは、基準シンボルアロケータ１１２０、ＣＤＭアロケータ１１２５、またはＦＤＭアロケータ１１３０を含み得る。基準シンボルアロケータ１１２０は、ＵＬチャネルの同数のリソースを基準シンボル送信およびデータシンボル送信に随意に割り振るために使用され得る。
【０１０６】
[00126]いくつかの例では、ＣＤＭアロケータ１１２５は、時間領域におけるクロススロットＣＤＭおよび周波数領域におけるＣＤＭを使用して、ＵＬチャネルのリソースを複数のＵＥデバイスに割り振るために使用され得る。代替的に、ＣＤＭアロケータ１１２５およびＦＤＭアロケータ１１３０は、時間領域におけるクロススロットＣＤＭ、およびＦＤＭを使用して、ＵＬチャネルのリソースを複数のＵＥデバイスに割り振るために使用され得る。いくつかの例では、時間領域におけるクロススロットＣＤＭは、時間領域におけるクロスサブフレームＣＤＭを含み得る。
【０１０７】
[00127]フィードバックプロセッサ１１３５は、ダウンリンクＡＣＫ、ダウンリンクＮＡＫ、ＣＱＩ、またはそれらの組合せのうちの少なくとも１つを複数のＵＥデバイスから受信するために使用され得る。ダウンリンクＡＣＫ、ダウンリンクＮＡＫ、またはＣＱＩは、ＵＬチャネル上で受信され得る。ＵＬチャネルのリソースが、時間領域におけるクロススロットＣＤＭおよび周波数領域におけるＣＤＭを使用して、複数のＵＥデバイスに割り振られるとき、ダウンリンクＡＣＫ、ダウンリンクＮＡＫ、またはＣＱＩは、各ＵＥデバイスからマルチプルトーン送信において受信され得る。ＵＬチャネルのリソースが、時間領域におけるクロススロットＣＤＭ、およびＦＤＭを使用して、複数のＵＥデバイスに割り振られるとき、ダウンリンクＡＣＫ、ダウンリンクＮＡＫ、またはＣＱＩは、各ＵＥデバイスからシングルトーン送信において受信され得る。いくつかの例では、複数のシングルトーン送信が、ＵＥデバイスのうちの１つまたは複数から、並列に、ＵＬチャネル上で受信され得る。
【０１０８】
[00128]いくつかの例では、フィードバックプロセッサ１１３５はＣＳＩプロセッサ１１４０を含み得る。ＣＳＩプロセッサ１１４０は、狭帯域通信の少なくとも１つのダウンリンクのためのＣＳＩを決定するために使用され得る。ＣＳＩは、複数のＵＥデバイスのうちの１つまたは複数から受信された少なくとも１つのダウンリンクのためのＣＱＩに少なくとも部分的に基づいて決定され得る。代替的に、ＣＳＩプロセッサ１１４０は、狭帯域通信の少なくとも１つのダウンリンクのためのＣＳＩを概算するために使用され得る。ＣＳＩは、ＳＲＳの測定、狭帯域通信のアップリンクのためのＣＱＩ、ＰＵＳＣＨ上で受信されたＣＱＩ、またはそれらの組合せに少なくとも部分的に基づいて概算され得る。
【０１０９】
[00129]図１２は、本開示の様々な態様による、ワイヤレス通信において使用するためのデバイス１２１５の図１２００を示す。デバイス１２１５は、図１および図２を参照しながら説明されたＵＥデバイス１１５のうちの１つまたは複数の態様の一例であり得る。デバイス１２１５はまた、プロセッサであるか、またはプロセッサを含み得る。デバイス１２１５は、受信機１２１０、ワイヤレス通信マネージャ１２２０、または送信機１２３０を含み得る。これらの構成要素の各々は互いと通信していることがある。
【０１１０】
[00130]デバイス１２１５の構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１１１】
[00131]いくつかの例では、受信機１２１０は、少なくとも１つの無線周波数スペクトル帯域上での送信を受信するように動作可能な少なくとも１つのＲＦ受信機など、少なくとも１つのＲＦ受信機を含み得る。いくつかの例では、少なくとも１つの無線周波数スペクトル帯域のうちの１つまたは複数が、たとえば、図１〜図９を参照しながら説明されたように、狭帯域通信（たとえば、ＮＢ−ＬＴＥ通信）のために使用され得る。受信機１２１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号を受信するために使用され得る。
【０１１２】
[00132]いくつかの例では、送信機１２３０は、少なくとも１つの無線周波数スペクトル帯域上で送信するように動作可能な少なくとも１つのＲＦ送信機など、少なくとも１つのＲＦ送信機を含み得る。送信機１２３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号を送信するために使用され得る。
【０１１３】
[00133]いくつかの例では、ワイヤレス通信マネージャ１２２０は、デバイス１２１５のためのワイヤレス通信の１つまたは複数の態様を管理するために使用され得る。いくつかの例では、ワイヤレス通信マネージャ１２２０の一部は、受信機１２１０または送信機１２３０に組み込まれるか、あるいはそれと共有され得る。いくつかの例では、ワイヤレス通信マネージャ１２２０は、リソース識別器１２３５、ＵＬチャネルリソース識別器１２４０、またはフィードバック送信マネージャ１２４５を含み得る。
【０１１４】
[00134]リソース識別器１２３５は、複数のサブフレームの各サブフレーム中で狭帯域通信のために時間リソースおよび周波数リソースを識別するために使用され得る。識別されたリソースは、図３を参照しながら説明されたように、帯域外リソースまたは帯域内リソースを含み得る。ＵＬチャネルリソース識別器１２４０は、ＵＥデバイスのためのＵＬチャネルに割り振られた時間リソースおよび周波数リソースのうちの少なくとも第１の部分の指示を受信するために使用され得る。フィードバック送信マネージャ１２４５は、ＵＬチャネル上で、ダウンリンクＡＣＫ、ダウンリンクＮＡＫ、ＣＱＩ、またはそれらの組合せのうちの少なくとも１つを送信するために使用され得る。いくつかの場合には、ＵＬチャネルは、専用ＰＵＣＣＨなど、ＵＬ制御チャネルの一例であり得る。
【０１１５】
[00135]図１３は、本開示の様々な態様による、ワイヤレス通信マネージャ１２２０−ａの図１３００を示す。ワイヤレス通信マネージャ１２２０−ａは、図１２を参照しながら説明されたワイヤレス通信マネージャ１２２０の代替であり得るか、または図１および図２を参照しながら説明されたＵＥデバイス１１５のうちの１つまたは複数の中で与えられ得る。ワイヤレス通信マネージャ１２２０−ａは、ＵＥデバイスのためのワイヤレス通信の１つまたは複数の態様を管理するために使用され得る。いくつかの例では、ワイヤレス通信マネージャ１２２０−ａの一部は、図１２を参照しながら説明されたデバイス１２１５の受信機１２１０または送信機１２３０など、デバイスの受信機または送信機に組み込まれるか、あるいはそれと共有され得る。いくつかの例では、ワイヤレス通信マネージャ１２２０−ａは、図１２を参照しながら説明されたリソース識別器１２３５、ＵＬチャネルリソース識別器１２４０、またはフィードバック送信マネージャ１２４５の例であり得る、リソース識別器１２３５−ａ、ＵＬチャネルリソース識別器１２４０−ａ、またはフィードバック送信マネージャ１２４５−ａを含み得る。
【０１１６】
[00136]ワイヤレス通信マネージャ１２２０−ａの構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１１７】
[00137]リソース識別器１２３５−ａは、複数のサブフレームの各サブフレーム中で狭帯域通信のために時間リソースおよび周波数リソースを識別するために使用され得る。識別されたリソースは、図３を参照しながら説明されたように、帯域外リソースまたは帯域内リソースを含み得る。
【０１１８】
[00138]ＵＬチャネルリソース識別器１２４０−ａは、ＵＥデバイスのためのＵＬチャネルに割り振られた時間リソースおよび周波数リソースのうちの少なくとも第１の部分の指示を受信するために使用され得る。いくつかの場合には、ＵＬチャネルは、専用ＰＵＣＣＨなど、ＵＬ制御チャネルの一例であり得る。
【０１１９】
[00139]フィードバック送信マネージャ１２４５−ａは、ＵＬチャネル上で、ダウンリンクＡＣＫ、ダウンリンクＮＡＫ、ＣＱＩ、またはそれらの組合せのうちの少なくとも１つを送信するために使用され得る。いくつかの例では、フィードバック送信マネージャ１２４５−ａは、ＣＤＭ送信マネージャ１３０５またはＦＤＭ送信マネージャ１３１０を含み得る。いくつかの例では、ＣＤＭ送信マネージャ１３０５は、時間領域におけるクロススロットＣＤＭおよび周波数領域におけるＣＤＭを使用して、ＵＬチャネル上で、ダウンリンクＡＣＫ、ダウンリンクＮＡＫ、および／またはＣＱＩを送信するために使用され得る。代替的に、ＣＤＭ送信マネージャ１３０５およびＦＤＭ送信マネージャ１３１０は、時間領域におけるクロススロットＣＤＭ、およびＦＤＭを使用して、ＵＬチャネル上で、ダウンリンクＡＣＫ、ダウンリンクＮＡＫ、および／またはＣＱＩを送信するために使用され得る。いくつかの例では、時間領域におけるクロススロットＣＤＭは、時間領域におけるクロスサブフレームＣＤＭを含み得る。
【０１２０】
[00140]デバイス１２１５のいくつかの例では、フィードバック送信マネージャ１２４５−ａは、ＵＬチャネル上で同数の基準シンボルおよびデータシンボルを送信するために使用され得る。
【０１２１】
[00141]図１４は、本開示の態様による、ワイヤレス通信において使用するための基地局１０５ーｃ（たとえば、ｅＮＢの一部または全部を形成する基地局）の図１４００を示す。いくつかの例では、基地局１０５−ｃは、図１、図２、および図１０を参照しながら説明された基地局１０５またはデバイス１００５のうちの１つまたは複数の態様の一例であり得る。基地局１０５−ｃは、図１〜図１１を参照しながら説明された基地局の特徴および機能のうちの少なくともいくつかを実装するかまたは可能にするように構成され得る。
【０１２２】
[00142]基地局１０５−ｃは、基地局プロセッサ１４１０、基地局メモリ１４２０、（（１つまたは複数の）基地局トランシーバ１４５０によって表される）少なくとも１つの基地局トランシーバ、（（１つまたは複数の）基地局アンテナ１４５５によって表される）少なくとも１つの基地局アンテナ、またはワイヤレス通信マネージャ１０２０−ｂを含み得る。基地局１０５−ｃはまた、基地局コミュニケータ１４３０またはネットワークコミュニケータ１４４０のうちの１つまたは複数を含み得る。これらの構成要素の各々は、１つまたは複数のバス１４３５を介して、直接または間接的に、互いと通信していることがある。
【０１２３】
[00143]基地局メモリ１４２０は、ランダムアクセスメモリ（ＲＡＭ）または読取り専用メモリ（ＲＯＭ）を含み得る。基地局メモリ１４２０は、実行されたとき、たとえば、図１〜図１１を参照しながら説明されたように、ＰＲＡＣＨ、専用ＰＵＣＣＨ、ＰＵＳＣＨ、またはＳＲＳ上での狭帯域通信のためにリソースをＵＥデバイスに割り振ることを含む、ワイヤレス通信に関係する本明細書で説明される様々な機能を基地局プロセッサ１４１０に実行させるように構成された命令を含んでいるコンピュータ可読、コンピュータ実行可能コード１４２５を記憶し得る。代替的に、コード１４２５は、基地局プロセッサ１４１０によって直接的に実行可能ではないが、（たとえば、コンパイルされ、実行されたとき）本明細書で説明される機能のうちのいくつかを基地局１０５−ｃに実行させるように構成され得る。
【０１２４】
[00144]基地局プロセッサ１４１０は、インテリジェントハードウェアデバイス、たとえば、中央処理ユニット（ＣＰＵ）、マイクロコントローラ、ＡＳＩＣなどを含み得る。基地局プロセッサ１４１０は、（１つまたは複数の）基地局トランシーバ１４５０、基地局コミュニケータ１４３０、またはネットワークコミュニケータ１４４０を通して受信された情報を処理し得る。基地局プロセッサ１４１０はまた、（１つまたは複数の）アンテナ１４５５を通した送信のために（１つまたは複数の）トランシーバ１４５０に送られるべき情報、１つまたは複数の他の基地局１０５−ｄおよび１０５−ｅへの送信のために基地局コミュニケータ１４３０に送られるべき情報、または図１を参照しながら説明されたコアネットワーク１３０の１つまたは複数の態様の一例であり得る、コアネットワーク１３０−ａへの送信のためにネットワークコミュニケータ１４４０に送られるべき情報を処理し得る。基地局プロセッサ１４１０は、単独で、またはワイヤレス通信マネージャ１０２０−ｂとともに、１つまたは複数の無線周波数スペクトル帯域上で通信すること（または無線周波数スペクトル帯域上の通信を管理すること）の様々な態様を扱い得る。
【０１２５】
[00145]（１つまたは複数の）基地局トランシーバ１４５０は、パケットを変調し、変調されたパケットを送信のために（１つまたは複数の）基地局アンテナ１４５５に与え、（１つまたは複数の）基地局アンテナ１４５５から受信されたパケットを復調するように構成されたモデムを含み得る。（１つまたは複数の）基地局トランシーバ１４５０は、いくつかの例では、１つまたは複数の基地局送信機および１つまたは複数の別個の基地局受信機として実装され得る。（１つまたは複数の）基地局トランシーバ１４５０は、１つまたは複数のワイヤレス通信リンクを介した通信をサポートし得る。（１つまたは複数の）基地局トランシーバ１４５０は、（１つまたは複数の）アンテナ１４５５を介して、図１、図２、および図１２を参照しながら説明されたＵＥデバイス１１５またはデバイス１２１５のうちの１つまたは複数など、１つまたは複数のＵＥデバイスまたは他のデバイスと双方向に通信するように構成され得る。基地局１０５−ｃは、たとえば、複数の基地局アンテナ１４５５（たとえば、アンテナアレイ）を含み得る。基地局１０５−ｃは、ネットワークコミュニケータ１４４０を通してコアネットワーク１３０−ａと通信し得る。基地局１０５−ｃはまた、基地局コミュニケータ１４３０を使用して、基地局１０５−ｄおよび１０５−ｅなど、他の基地局と通信し得る。
【０１２６】
[00146]ワイヤレス通信マネージャ１０２０−ｂは、１つまたは複数の無線周波数スペクトル帯域上でのワイヤレス通信に関係する図１〜図１１を参照しながら説明された特徴または機能の一部または全部を実行または制御するように構成され得る。ワイヤレス通信マネージャ１０２０−ｂ、またはそれの部分はプロセッサを含み得、あるいはワイヤレス通信マネージャ１０２０−ｂの機能の一部または全部は、基地局プロセッサ１４１０によって実行されるか、または基地局プロセッサ１４１０とともに実行され得る。いくつかの例では、ワイヤレス通信マネージャ１０２０−ｂは、図１０および図１１を参照しながら説明されたワイヤレス通信マネージャ１０２０の一例であり得る。
【０１２７】
[00147]図１５は、本開示の様々な態様による、ワイヤレス通信において使用するためのＵＥデバイス１１５ーｃの図１５００を示す。ＵＥデバイス１１５−ｃは、様々な構成を有し得、ワイヤレス通信デバイス、パーソナルコンピュータ（たとえば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダーなどであり得る。ＵＥデバイス１１５−ｃは、いくつかの例では、モバイルまたはリモート動作を可能にするために、小型バッテリーなどの内部電源（図示せず）を有し得る。いくつかの例では、ＵＥデバイス１１５−ｃは、図１、図２、および図１２を参照しながら説明されたＵＥデバイス１１５またはデバイス１２１５のうちの１つまたは複数の態様の一例であり得る。ＵＥデバイス１１５−ｃは、図１〜図９、図１２、および図１３を参照しながら説明されたＵＥデバイスの特徴および機能のうちの少なくともいくつかを実装するように構成され得る。
【０１２８】
[00148]ＵＥデバイス１１５−ｃは、ＵＥデバイスプロセッサ１５１０、ＵＥデバイスメモリ１５２０、（（１つまたは複数の）ＵＥデバイストランシーバ１５３０によって表される）少なくとも１つのＵＥデバイストランシーバ、（（１つまたは複数の）ＵＥデバイスアンテナ１５４０によって表される）少なくとも１つのＵＥデバイスアンテナ、またはワイヤレス通信マネージャ１２２０−ｂを含み得る。これらの構成要素の各々は、１つまたは複数のバス１５３５を介して、直接または間接的に、互いと通信していることがある。
【０１２９】
[00149]ＵＥデバイスメモリ１５２０はＲＡＭまたはＲＯＭを含み得る。ＵＥデバイスメモリ１５２０は、実行されたとき、たとえば、図１〜図９、図１２、および図１３を参照しながら説明されたように、ＰＲＡＣＨ、専用ＰＵＣＣＨ、ＰＵＳＣＨ、またはＳＲＳ上での狭帯域通信を送信することを含む、ワイヤレス通信に関係する本明細書で説明される様々な機能をＵＥデバイスプロセッサ１５１０に実行させるように構成された命令を含んでいるコンピュータ可読、コンピュータ実行可能コード１５２５を記憶し得る。代替的に、コード１５２５は、ＵＥデバイスプロセッサ１５１０によって直接的に実行可能ではないが、（たとえば、コンパイルされ、実行されたとき）本明細書で説明される機能のうちのいくつかをＵＥデバイス１１５−ｃに実行させるように構成され得る。
【０１３０】
[00150]ＵＥデバイスプロセッサ１５１０は、インテリジェントハードウェアデバイス、たとえば、ＣＰＵ、マイクロコントローラ、ＡＳＩＣなどを含み得る。ＵＥデバイスプロセッサ１５１０は、（１つまたは複数の）ＵＥデバイストランシーバ１５３０を通して受信された情報、または（１つまたは複数の）ＵＥデバイスアンテナ１５４０を通した送信のために（１つまたは複数の）ＵＥデバイストランシーバ１５３０に送られるべき情報を処理し得る。ＵＥデバイスプロセッサ１５１０は、単独で、またはワイヤレス通信マネージャ１２２０−ｂとともに、１つまたは複数の無線周波数スペクトル帯域上で通信すること（または無線周波数スペクトル帯域上の通信を管理すること）の様々な態様を扱い得る。
【０１３１】
[00151]（１つまたは複数の）ＵＥデバイストランシーバ１５３０は、パケットを変調し、変調されたパケットを送信のために（１つまたは複数の）ＵＥデバイスアンテナ１５４０に与え、（１つまたは複数の）ＵＥデバイスアンテナ１５４０から受信されたパケットを復調するように構成されたモデムを含み得る。（１つまたは複数の）ＵＥデバイストランシーバ１５３０は、いくつかの例では、１つまたは複数のＵＥデバイス送信機および１つまたは複数の別個のＵＥデバイス受信機として実装され得る。（１つまたは複数の）ＵＥデバイストランシーバ１５３０は、１つまたは複数のワイヤレス通信リンクを介した通信をサポートし得る。（１つまたは複数の）ＵＥデバイストランシーバ１５３０は、（１つまたは複数の）ＵＥデバイスアンテナ１５４０を介して、図１、図２、および図１０を参照しながら説明された基地局１０５またはデバイス１００５のうちの１つまたは複数など、１つまたは複数の基地局または他のデバイスと双方向に通信するように構成され得る。ＵＥデバイス１１５ーｃは単一のＵＥデバイスアンテナを含み得るが、ＵＥデバイス１１５ーｃが複数のＵＥデバイスアンテナ１５４０を含み得る例があり得る。
【０１３２】
[00152]ワイヤレス通信マネージャ１２２０−ｂは、１つまたは複数の無線周波数スペクトル帯域上でのワイヤレス通信に関係する図１〜図９、図１２、および図１３を参照しながら説明されたＵＥデバイスの特徴または機能の一部または全部を実行または制御するように構成され得る。ワイヤレス通信マネージャ１２２０−ｂ、またはそれの部分はプロセッサを含み得、あるいはワイヤレス通信マネージャ１２２０−ｂの機能の一部または全部は、ＵＥデバイスプロセッサ１５１０によって実行されるか、またはＵＥデバイスプロセッサ１５１０とともに実行され得る。いくつかの例では、ワイヤレス通信マネージャ１２２０−ｂは、図１２および図１３を参照しながら説明されたワイヤレス通信マネージャ１２２０の一例であり得る。
【０１３３】
[00153]図１６は、本開示の様々な態様による、基地局におけるワイヤレス通信のための方法１６００の一例を示すフローチャートである。明快のために、方法１６００は、図１、図２、および図１４を参照しながら説明された基地局１０５のうちの１つまたは複数の態様、図１０を参照しながら説明されたデバイス１００５の態様、または図１０、図１１、および図１４を参照しながら説明されたワイヤレス通信マネージャ１０２０のうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１３４】
[00154]ブロック１６０５において、方法１６００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック１６０５における（１つまたは複数の）動作は、図１０、図１１、および図１４を参照しながら説明されたワイヤレス通信マネージャ１０２０、または図１０および図１１を参照しながら説明されたリソース識別器１０３５を使用して実行され得る。
【０１３５】
[00155]ブロック１６１０において、方法１６００は、複数のＵＥデバイス（たとえば、狭帯域通信のためのアップリンクリソースを必要とするＵＥデバイス）を識別することを含み得る。ブロック１６１０における（１つまたは複数の）動作は、図１０、図１１、および図１４を参照しながら説明されたワイヤレス通信マネージャ１０２０、または図１０および図１１を参照しながら説明されたＵＥデバイス識別器１０４０を使用して実行され得る。
【０１３６】
[00156]ブロック１６１５において、方法１６００は、時間リソースおよび周波数リソースのうちの少なくとも第１の部分をＵＬチャネルに割り振ることを含み得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。いくつかの場合には、ＵＬチャネルは、専用ＰＵＣＣＨなど、ＵＬ制御チャネルの一例であり得る。ブロック１６１５における（１つまたは複数の）動作は、図１０、図１１、および図１４を参照しながら説明されたワイヤレス通信マネージャ１０２０、または図１０および図１１を参照しながら説明されたＵＬチャネルリソースアロケータ１０４５を使用して実行され得る。
【０１３７】
[00157]ブロック１６２０において、方法１６００は、ＵＬチャネルのリソースを、識別された複数のＵＥデバイスに割り振ることを含み得る。いくつかの例では、ＵＬチャネルのリソースは、イントラリソースブロック周波数ホッピングを使用して、複数のＵＥデバイスに割り振られ得る。いくつかの例では、ＵＬチャネルのリソースは、追加または代替として、ＵＥデバイスに関連するＣＥレベルに少なくとも部分的に基づいて、複数のＵＥデバイスのうちのＵＥデバイスに割り振られ得る。いくつかの例では、複数のＵＥデバイスに割り振られたＵＬチャネルのリソースは、バンドルされたＴＴＩを含み得る。ブロック１６２０における（１つまたは複数の）動作は、図１０、図１１、および図１４を参照しながら説明されたワイヤレス通信マネージャ１０２０、または図１０および図１１を参照しながら説明されたＵＥデバイスリソースアロケータ１０５０を使用して実行され得る。
【０１３８】
[00158]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１３９】
[00159]図１７は、本開示の様々な態様による、基地局におけるワイヤレス通信のための方法１７００の一例を示すフローチャートである。明快のために、方法１７００は、図１、図２、および図１４を参照しながら説明された基地局１０５のうちの１つまたは複数の態様、図１０を参照しながら説明されたデバイス１００５の態様、または図１０、図１１、および図１４を参照しながら説明されたワイヤレス通信マネージャ１０２０のうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１４０】
[00160]ブロック１７０５において、方法１７００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック１７０５における（１つまたは複数の）動作は、図１０、図１１、および図１４を参照しながら説明されたワイヤレス通信マネージャ１０２０、または図１０および図１１を参照しながら説明されたリソース識別器１０３５を使用して実行され得る。
【０１４１】
[00161]ブロック１７１０において、方法１７００は、複数のＵＥデバイス（たとえば、狭帯域通信のためのアップリンクリソースを必要とするＵＥデバイス）を識別することを含み得る。ブロック１７１０における（１つまたは複数の）動作は、図１０、図１１、および図１４を参照しながら説明されたワイヤレス通信マネージャ１０２０、または図１０および図１１を参照しながら説明されたＵＥデバイス識別器１０４０を使用して実行され得る。
【０１４２】
[00162]ブロック１７１５において、方法１７００は、時間リソースおよび周波数リソースのうちの少なくとも第１の部分をＵＬチャネルに割り振ることを含み得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。いくつかの場合には、ＵＬチャネルは、専用ＰＵＣＣＨなど、ＵＬ制御チャネルの一例であり得る。ブロック１７１５における（１つまたは複数の）動作は、図１０、図１１、および図１４を参照しながら説明されたワイヤレス通信マネージャ１０２０、または図１０および図１１を参照しながら説明されたＵＬチャネルリソースアロケータ１０４５を使用して実行され得る。
【０１４３】
[00163]ブロック１７２０において、方法１７００は、ＵＬチャネルの同数のリソースを基準シンボル送信およびデータシンボル送信に割り振ることを随意に含み得る。ブロック１７２０における（１つまたは複数の）動作は、図１０、図１１、および図１４を参照しながら説明されたワイヤレス通信マネージャ１０２０、図１０を参照しながら説明されたＵＥデバイスリソースアロケータ１０５０、または図１１を参照しながら説明された基準シンボルアロケータ１１２０を使用して実行され得る。
【０１４４】
[00164]ブロック１７２５において、方法１７００は、ＵＬチャネルのリソースを、識別された複数のＵＥデバイスに割り振ることを含み得る。いくつかの例では、ＵＬチャネルのリソースは、イントラリソースブロック周波数ホッピングを使用して、複数のＵＥデバイスに割り振られ得る。いくつかの例では、ＵＬチャネルのリソースは、追加または代替として、ＵＥデバイスに関連するＣＥレベルに少なくとも部分的に基づいて、複数のＵＥデバイスのうちのＵＥデバイスに割り振られ得る。いくつかの例では、複数のＵＥデバイスに割り振られたＵＬチャネルのリソースは、バンドルされたＴＴＩを含み得る。ブロック１７２５における（１つまたは複数の）動作は、図１０、図１１、および図１４を参照しながら説明されたワイヤレス通信マネージャ１０２０、または図１０および図１１を参照しながら説明されたＵＥデバイスリソースアロケータ１０５０を使用して実行され得る。
【０１４５】
[00165]ブロック１７２５における（１つまたは複数の）動作に続いて、方法１７００は、ブロック１７３０またはブロック１７４０において続き得る。ブロック１７３０において、方法１７００は、ＵＬチャネル上で、ダウンリンクＡＣＫ、ダウンリンクＮＡＫ、ＣＱＩ、またはそれらの組合せのうちの少なくとも１つを複数のＵＥデバイスから受信することを含み得る。ブロック１７３０における（１つまたは複数の）動作は、図１０、図１１、および図１４を参照しながら説明されたワイヤレス通信マネージャ１０２０、または図１１を参照しながら説明されたフィードバックプロセッサ１１３５を使用して実行され得る。
【０１４６】
[00166]ブロック１７３５において、方法１７００は、（たとえば、ブロック１７３０において）複数のＵＥデバイスのうちの１つまたは複数から少なくとも１つのダウンリンクのために受信されたＣＱＩに少なくとも部分的に基づいて、狭帯域通信の少なくとも１つのダウンリンクのためのＣＳＩを決定することを含み得る。ブロック１７３５における（１つまたは複数の）動作は、図１０、図１１、および図１４を参照しながら説明されたワイヤレス通信マネージャ１０２０、または図１１を参照しながら説明されたＣＳＩプロセッサ１１４０を使用して実行され得る。
【０１４７】
[00167]ブロック１７４０において、方法１７００は、ＵＬチャネル上で、ダウンリンクＡＣＫ、ダウンリンクＮＡＫ、またはそれらの組合せのうちの少なくとも１つを複数のＵＥデバイスから受信することを含み得る。ブロック１７４０における（１つまたは複数の）動作は、図１０、図１１、および図１４を参照しながら説明されたワイヤレス通信マネージャ１０２０、または図１１を参照しながら説明されたフィードバックプロセッサ１１３５を使用して実行され得る。
【０１４８】
[00168]ブロック１７４５において、方法１７００は、ＳＲＳの測定、狭帯域通信のアップリンクのためのＣＱＩ、ＰＵＳＣＨ上で受信されたＣＱＩ、またはそれらの組合せに少なくとも部分的に基づいて、狭帯域通信の少なくとも１つのダウンリンクのためのＣＳＩを概算することを含み得る。ブロック１７４５における（１つまたは複数の）動作は、図１０、図１１、および図１４を参照しながら説明されたワイヤレス通信マネージャ１０２０、または図１１を参照しながら説明されたＣＳＩプロセッサ１１４０を使用して実行され得る。
【０１４９】
[00169]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１５０】
[00170]図１８は、本開示の様々な態様による、基地局におけるワイヤレス通信のための方法１８００の一例を示すフローチャートである。明快のために、方法１８００は、図１、図２、および図１４を参照しながら説明された基地局１０５のうちの１つまたは複数の態様、図１０を参照しながら説明されたデバイス１００５の態様、または図１０、図１１、および図１４を参照しながら説明されたワイヤレス通信マネージャ１０２０のうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１５１】
[00171]ブロック１８０５において、方法１８００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック１８０５における（１つまたは複数の）動作は、図１０、図１１、および図１４を参照しながら説明されたワイヤレス通信マネージャ１０２０、または図１０および図１１を参照しながら説明されたリソース識別器１０３５を使用して実行され得る。
【０１５２】
[00172]ブロック１８１０において、方法１８００は、複数のＵＥデバイス（たとえば、狭帯域通信のためのアップリンクリソースを必要とするＵＥデバイス）を識別することを含み得る。ブロック１８１０における（１つまたは複数の）動作は、図１０、図１１、および図１４を参照しながら説明されたワイヤレス通信マネージャ１０２０、または図１０および図１１を参照しながら説明されたＵＥデバイス識別器１０４０を使用して実行され得る。
【０１５３】
[00173]ブロック１８１５において、方法１８００は、時間リソースおよび周波数リソースのうちの少なくとも第１の部分をＵＬチャネルに割り振ることを含み得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。いくつかの場合には、ＵＬチャネルは、専用ＰＵＣＣＨなど、ＵＬ制御チャネルの一例であり得る。ブロック１８１５における（１つまたは複数の）動作は、図１０、図１１、および図１４を参照しながら説明されたワイヤレス通信マネージャ１０２０、または図１０および図１１を参照しながら説明されたＵＬチャネルリソースアロケータ１０４５を使用して実行され得る。
【０１５４】
[00174]ブロック１８２０において、方法１８００は、ＵＬチャネルの同数のリソースを基準シンボル送信およびデータシンボル送信に割り振ることを随意に含み得る。ブロック１８２０における（１つまたは複数の）動作は、図１０、図１１、および図１４を参照しながら説明されたワイヤレス通信マネージャ１０２０、図１０を参照しながら説明されたＵＥデバイスリソースアロケータ１０５０、または図１１を参照しながら説明された基準シンボルアロケータ１１２０を使用して実行され得る。
【０１５５】
[00175]ブロック１８２０における（１つまたは複数の）動作に続いて、方法１８００は、ブロック１８２５またはブロック１８３５において続き得る。ブロック１８２５または１８３５において、方法１８００は、ＵＬチャネルのリソースを、識別された複数のＵＥデバイスに割り振ることを含み得る。いくつかの例では、ＵＬチャネルのリソースは、イントラリソースブロック周波数ホッピングを使用して、複数のＵＥデバイスに割り振られ得る。いくつかの例では、ＵＬチャネルのリソースは、追加または代替として、ＵＥデバイスに関連するＣＥレベルに少なくとも部分的に基づいて、複数のＵＥデバイスのうちのＵＥデバイスに割り振られ得る。いくつかの例では、複数のＵＥデバイスに割り振られたＵＬチャネルのリソースは、バンドルされたＴＴＩを含み得る。
【０１５６】
[00176]ブロック１８２５において、方法１８００は、時間領域におけるクロススロットＣＤＭおよび周波数領域におけるＣＤＭを使用して、ＵＬチャネルのリソースを複数のＵＥデバイスに割り振ることを含み得る。いくつかの例では、時間領域におけるクロススロットＣＤＭは、時間領域におけるクロスサブフレームＣＤＭを含み得る。ブロック１８２５における（１つまたは複数の）動作は、図１０、図１１、および図１４を参照しながら説明されたワイヤレス通信マネージャ１０２０、図１０および図１１を参照しながら説明されたＵＥデバイスリソースアロケータ１０５０、または図１１を参照しながら説明されたＣＤＭアロケータ１１２５を使用して実行され得る。
【０１５７】
[00177]ブロック１８３０において、方法１８００は、ＵＬチャネル上で、複数のＵＥデバイスの各ＵＥデバイスからマルチプルトーン送信を受信することを含み得る。ブロック１８３０における（１つまたは複数の）動作は、図１０、図１１、および図１４を参照しながら説明されたワイヤレス通信マネージャ１０２０、または図１１を参照しながら説明されたフィードバックプロセッサ１１３５を使用して実行され得る。
【０１５８】
[00178]ブロック１８３５において、方法１８００は、時間領域におけるクロススロットＣＤＭ、およびＦＤＭを使用して、ＵＬチャネルのリソースを複数のＵＥデバイスに割り振ることを含み得る。いくつかの例では、時間領域におけるクロススロットＣＤＭは、時間領域におけるクロスサブフレームＣＤＭを含み得る。ブロック１８３５における（１つまたは複数の）動作は、図１０、図１１、および図１４を参照しながら説明されたワイヤレス通信マネージャ１０２０、図１０および図１１を参照しながら説明されたＵＥデバイスリソースアロケータ１０５０、あるいは図１１を参照しながら説明されたＣＤＭアロケータ１１２５またはＦＤＭアロケータ１１３０を使用して実行され得る。
【０１５９】
[00179]ブロック１８４０において、方法１８００は、ＵＬチャネル上で、並列に、複数のＵＥデバイスの各ＵＥデバイスからシングルトーン送信を受信することを含み得る。いくつかの例では、複数のシングルトーン送信が、ＵＥデバイスのうちの１つまたは複数から、並列に、ＵＬチャネル上で受信され得る。ブロック１８３０における（１つまたは複数の）動作は、図１０、図１１、および図１４を参照しながら説明されたワイヤレス通信マネージャ１０２０、または図１１を参照しながら説明されたフィードバックプロセッサ１１３５を使用して実行され得る。
【０１６０】
[00180]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０１６１】
[00181]図１９は、本開示の様々な態様による、基地局におけるワイヤレス通信のための方法１９００の一例を示すフローチャートである。明快のために、方法１９００は、図１、図２、および図１４を参照しながら説明された基地局１０５のうちの１つまたは複数の態様、図１０を参照しながら説明されたデバイス１００５の態様、または図１０、図１１、および図１４を参照しながら説明されたワイヤレス通信マネージャ１０２０のうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１６２】
[00182]ブロック１９０５において、方法１９００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック１９０５における（１つまたは複数の）動作は、図１０、図１１、および図１４を参照しながら説明されたワイヤレス通信マネージャ１０２０、または図１０および図１１を参照しながら説明されたリソース識別器１０３５を使用して実行され得る。
【０１６３】
[00183]ブロック１９１０において、方法１９００は、複数のＵＥデバイス（たとえば、狭帯域通信のためのアップリンクリソースを必要とするＵＥデバイス）を識別することを含み得る。ブロック１９１０における（１つまたは複数の）動作は、図１０、図１１、および図１４を参照しながら説明されたワイヤレス通信マネージャ１０２０、または図１０および図１１を参照しながら説明されたＵＥデバイス識別器１０４０を使用して実行され得る。
【０１６４】
[00184]ブロック１９１５において、方法１９００は、時間リソースおよび周波数リソースのうちの少なくとも第１の部分をＵＬチャネルに割り振ることを含み得る。いくつかの例では、周波数リソースの同じセットが、複数のサブフレーム中の各サブフレームの第１のスロットおよび第２のスロットについて、ＵＬチャネルに割り振られ得る。いくつかの例では、周波数リソースの同じセットまたは周波数リソースの異なるセットが、複数のサブフレーム中のあるサブフレームから別のサブフレームにかけて、ＵＬチャネルに割り振られ得る。いくつかの場合には、ＵＬチャネルは、専用ＰＵＣＣＨなど、ＵＬ制御チャネルの一例であり得る。ブロック１９１５における（１つまたは複数の）動作は、図１０、図１１、および図１４を参照しながら説明されたワイヤレス通信マネージャ１０２０、または図１０および図１１を参照しながら説明されたＵＬチャネルリソースアロケータ１０４５を使用して実行され得る。
【０１６５】
[00185]ブロック１９２０において、方法１９００は、時間リソースおよび周波数リソースのうちの第２の部分をＰＲＡＣＨに割り振ることを含み得る。ブロック１９２０における（１つまたは複数の）動作は、図１０、図１１、および図１４を参照しながら説明されたワイヤレス通信マネージャ１０２０、図１０を参照しながら説明されたＵＥデバイスリソースアロケータ１０５０、または図１１を参照しながら説明されたＰＲＡＣＨリソースアロケータ１１０５を使用して実行され得る。
【０１６６】
[00186]ブロック１９２５において、方法１９００は、時間リソースおよび周波数リソースのうちの第３の部分をＰＵＳＣＨに割り振ることを含み得る。ブロック１９２５における（１つまたは複数の）動作は、図１０、図１１、および図１４を参照しながら説明されたワイヤレス通信マネージャ１０２０、または図１１を参照しながら説明されたＰＵＳＣＨリソースアロケータ１１１０を使用して実行され得る。
【０１６７】
[00187]ブロック１９３０において、方法１９００は、時間リソースおよび周波数リソースのうちの第４の部分をＳＲＳに割り振ることを含み得る。いくつかの例では、ＳＲＳを送信するためのリソースは、複数のサブフレームの各々の各シンボル期間中で割り振られ得る。いくつかの例では、ＳＲＳを送信するためのリソースは、リソースがそれの中でＵＬチャネルまたはＰＵＳＣＨに割り振られる各サブフレームの最後のシンボル期間中で割り振られ得る。ブロック１９３０における（１つまたは複数の）動作は、図１０、図１１、および図１４を参照しながら説明されたワイヤレス通信マネージャ１０２０、または図１１を参照しながら説明されたＳＲＳリソースアロケータ１１１５を使用して実行され得る。ＵＬチャネル、ＰＲＡＣＨ、ＰＵＳＣＨ、およびＳＲＳは、（ブロック１９０５において狭帯域通信のために識別された時間リソース上で）時間領域において、（ブロック１９０５において狭帯域通信のための識別された周波数リソース上で）周波数領域において、またはそれらの組合せにおいて多重化され得る。
【０１６８】
[00188]ブロック１９３５において、方法１９００は、ＵＬチャネルの同数のリソースを基準シンボル送信およびデータシンボル送信に割り振ることを随意に含み得る。ブロック１９３５における（１つまたは複数の）動作は、図１０、図１１、および図１４を参照しながら説明されたワイヤレス通信マネージャ１０２０、または図１１を参照しながら説明された基準シンボルアロケータ１１２０を使用して実行され得る。
【０１６９】
[00189]ブロック１９４０において、方法１９００は、ＵＬチャネルのリソースを、識別された複数のＵＥデバイスに割り振ることを含み得る。いくつかの例では、ＵＬチャネルのリソースは、イントラリソースブロック周波数ホッピングを使用して、複数のＵＥデバイスに割り振られ得る。いくつかの例では、ＵＬチャネルのリソースは、追加または代替として、ＵＥデバイスに関連するＣＥレベルに少なくとも部分的に基づいて、複数のＵＥデバイスのうちのＵＥデバイスに割り振られ得る。いくつかの例では、複数のＵＥデバイスに割り振られたＵＬチャネルのリソースは、バンドルされたＴＴＩを含み得る。ブロック１９４０における（１つまたは複数の）動作は、図１０、図１１、および図１４を参照しながら説明されたワイヤレス通信マネージャ１０２０、または図１０および図１１を参照しながら説明されたＵＥデバイスリソースアロケータ１０５０を使用して実行され得る。
【０１７０】
[00190]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１７１】
[00191]いくつかの例では、図１６〜図１９を参照しながら説明された方法１６００、１７００、１８００、または１９００の態様が組み合わせられ得る。
【０１７２】
[00192]図２０は、本開示の様々な態様による、ＵＥデバイスにおけるワイヤレス通信のための方法２０００の一例を示すフローチャートである。明快のために、方法２０００は、図１、図２、および図１５を参照しながら説明されたＵＥデバイス１１５のうちの１つまたは複数の態様、図１２を参照しながら説明されたデバイス１２１５の態様、または図１２、図１３、および図１５を参照しながら説明されたワイヤレス通信マネージャ１２２０のうちの１つまたは複数の態様に関して以下で説明される。いくつかの例では、ＵＥデバイスは、以下で説明される機能を実行するようにＵＥデバイスの機能要素を制御するためのコードの１つまたは複数のセットを実行し得る。追加または代替として、ＵＥデバイスは、専用ハードウェアを使用して、以下で説明される機能のうちの１つまたは複数を実行し得る。
【０１７３】
[00193]ブロック２００５において、方法２０００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック２００５における（１つまたは複数の）動作は、図１２、図１３、および図１５を参照しながら説明されたワイヤレス通信マネージャ１２２０、または図１２および図１３を参照しながら説明されたリソース識別器１２３５を使用して実行され得る。
【０１７４】
[00194]ブロック２０１０において、方法２０００は、ＵＥデバイスのためのＵＬチャネルに割り振られた時間リソースおよび周波数リソースのうちの少なくとも第１の部分の指示を受信することを含み得る。いくつかの場合には、ＵＬチャネルは、専用ＰＵＣＣＨなど、ＵＬ制御チャネルの一例であり得る。ブロック２０１０における（１つまたは複数の）動作は、図１２、図１３、および図１５を参照しながら説明されたワイヤレス通信マネージャ１２２０、または図１２および図１３を参照しながら説明されたＵＬチャネルリソース識別器１２４０を使用して実行され得る。
【０１７５】
[00195]ブロック２０１５において、方法２０００は、ＵＬチャネル上で、ダウンリンクＡＣＫ、ダウンリンクＮＡＫ、ＣＱＩ、またはそれらの組合せのうちの少なくとも１つを送信することを含み得る。ブロック２０１５における（１つまたは複数の）動作は、図１２、図１３、および図１５を参照しながら説明されたワイヤレス通信マネージャ１２２０、または図１２および図１３を参照しながら説明されたフィードバック送信マネージャ１２４５を使用して実行され得る。
【０１７６】
[00196]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０１７７】
[00197]図２１は、本開示の様々な態様による、ＵＥデバイスにおけるワイヤレス通信のための方法２１００の一例を示すフローチャートである。明快のために、方法２１００は、図１、図２、および図１５を参照しながら説明されたＵＥデバイス１１５のうちの１つまたは複数の態様、図１２を参照しながら説明されたデバイス１２１５の態様、または図１２、図１３、および図１５を参照しながら説明されたワイヤレス通信マネージャ１２２０のうちの１つまたは複数の態様に関して以下で説明される。いくつかの例では、ＵＥデバイスは、以下で説明される機能を実行するようにＵＥデバイスの機能要素を制御するためのコードの１つまたは複数のセットを実行し得る。追加または代替として、ＵＥデバイスは、専用ハードウェアを使用して、以下で説明される機能のうちの１つまたは複数を実行し得る。
【０１７８】
[00198]ブロック２１０５において、方法２１００は、複数のサブフレームの各サブフレーム中で狭帯域通信のために時間リソースおよび周波数リソースを識別することを含み得る。識別されたリソースは、図３を参照しながら説明されたように、帯域外リソースまたは帯域内リソースを含み得る。ブロック２１０５における（１つまたは複数の）動作は、図１２、図１３、および図１５を参照しながら説明されたワイヤレス通信マネージャ１２２０、または図１２および図１３を参照しながら説明されたリソース識別器１２３５を使用して実行され得る。
【０１７９】
[00199]ブロック２１１０において、方法２１００は、ＵＥデバイスのためのＵＬチャネルに割り振られた時間リソースおよび周波数リソースのうちの少なくとも第１の部分の指示を受信することを含み得る。いくつかの場合には、ＵＬチャネルは、専用ＰＵＣＣＨなど、ＵＬ制御チャネルの一例であり得る。ブロック２１１０における（１つまたは複数の）動作は、図１２、図１３、および図１５を参照しながら説明されたワイヤレス通信マネージャ１２２０、または図１２および図１３を参照しながら説明されたＵＬチャネルリソース識別器１２４０を使用して実行され得る。
【０１８０】
[00200]ブロック２１１５において、方法２１００は、ＵＬチャネル上で、ダウンリンクＡＣＫ、ダウンリンクＮＡＫ、ＣＱＩ、またはそれらの組合せのうちの少なくとも１つを送信することを含み得る。ブロック２１１５における（１つまたは複数の）動作は、図１２、図１３、および図１５を参照しながら説明されたワイヤレス通信マネージャ１２２０、または図１２および図１３を参照しながら説明されたフィードバック送信マネージャ１２４５を使用して実行され得る。
【０１８１】
[00201]ブロック２１１０における（１つまたは複数の）動作に続いて、方法２１００は、ブロック２１１５またはブロック２１２０において続き得る。ブロック２１１５または２１２０において、方法２１００は、ＵＬチャネル上で、ダウンリンクＡＣＫ、ダウンリンクＮＡＫ、ＣＱＩ、またはそれらの組合せのうちの少なくとも１つを送信することを含み得る。ブロック２１１５において、方法２１００は、時間領域におけるクロススロットＣＤＭおよび周波数領域におけるＣＤＭを使用して、ＵＬチャネル上で、ダウンリンクＡＣＫ、ダウンリンクＮＡＫ、および／またはＣＱＩを送信することを含み得る。いくつかの例では、時間領域におけるクロススロットＣＤＭは、時間領域におけるクロスサブフレームＣＤＭを含み得る。ブロック２１１５における（１つまたは複数の）動作は、図１２、図１３、および図１５を参照しながら説明されたワイヤレス通信マネージャ１２２０、図１２および図１３を参照しながら説明されたフィードバック送信マネージャ１２４５、または図１３を参照しながら説明されたＣＤＭ送信マネージャ１３０５を使用して実行され得る。
【０１８２】
[00202]ブロック２１２０において、方法２１００は、時間領域におけるクロススロットＣＤＭ、およびＦＤＭを使用して、ＵＬチャネル上で、ダウンリンクＡＣＫ、ダウンリンクＮＡＫ、および／またはＣＱＩを送信することを含み得る。いくつかの例では、時間領域におけるクロススロットＣＤＭは、時間領域におけるクロスサブフレームＣＤＭを含み得る。ブロック２１２０における（１つまたは複数の）動作は、図１２、図１３、および図１５を参照しながら説明されたワイヤレス通信マネージャ１２２０、図１２および図１３を参照しながら説明されたフィードバック送信マネージャ１２４５、あるいは図１３を参照しながら説明されたＣＤＭ送信マネージャ１３０５またはＦＤＭ送信マネージャ１３１０を使用して実行され得る。
【０１８３】
[00203]いくつかの例では、方法２１００は、ＵＬチャネル上で同数の基準シンボルおよびデータシンボルを送信することを含み得る。
【０１８４】
[00204]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０１８５】
[00205]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１８６】
[00206]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８７】
[00207]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１８８】
[00208]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１８９】
[00209]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１９０】
[00210]本開示についての以上の説明は、当業者が本開示を作成または使用することができるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明された例および設計に限定されるべきでなく、本明細書で開示された原理および新規の特徴に合致する最も広い範囲を与えられるべきである。
【図１】
2018530216.tif 000003
【図２】
2018530216.tif 000004
【図３】
2018530216.tif 000005
【図４】
2018530216.tif 000006
【図５】
2018530216.tif 000007
【図６】
2018530216.tif 000008
【図７】
2018530216.tif 000009
【図８】
2018530216.tif 000010
【図９】
2018530216.tif 000011
【図１０】
2018530216.tif 000012
【図１１】
2018530216.tif 000013
【図１２】
2018530216.tif 000014
【図１３】
2018530216.tif 000015
【図１４】
2018530216.tif 000016
【図１５】
2018530216.tif 000017
【図１６】
2018530216.tif 000018
【図１７】
2018530216.tif 000019
【図１８】
2018530216.tif 000020
【図１９】
2018530216.tif 000021
【図２０】
2018530216.tif 000022
【図２１】
2018530216.tif 000023
【国際調査報告】
2018530216.tif 000024
2018530216.tif 000025
2018530216.tif 000026